(57)【要約】静電界に応じて液滴の噴霧および湿潤塗膜を形成する静電吹付ヘッドから基板または転写面に液滴を吹き付けて液体塗膜を形成する。吹き付け中に静電界を繰り返し変化させて液滴によって堆積されるパターンを変える。塗膜の均等性を改善できる２つ以上のピックアンドプレース装置に湿潤塗膜を接触させることができる。
2004529764.tif 000002
【特許請求の範囲】
【請求項１】
基板上に液体塗膜を形成する方法であって、
ａ）静電界に応じたパターンを形成する静電吹付ヘッドから基板上へ液滴パターンを吹き付けるステップと、
ｂ）吹き付けを行いながら前記静電界を繰り返し電気的に変化させ、それによって、前記パターンを繰り返し変化させるステップと、を含む方法。
【請求項２】
前記静電界を連続的に変化させる、請求項１記載の方法。
【請求項３】
前記静電界を周期的に変化させる、請求項１記載の方法。
【請求項４】
前記静電界を非周期的に変化させる、請求項１記載の方法。
【請求項５】
塗膜監視信号に応答して前記静電界を変化させる、請求項１記載の方法。
【請求項６】
前記吹付ヘッドと前記基板との間の電圧を変えることにより、前記静電界を変化させる、請求項１記載の方法。
【請求項７】
前記吹付ヘッド付近の物体の電圧を変えることにより前記静電界を変化させる、請求項１記載の方法。
【請求項８】
前記吹付ヘッドが吐出ワイヤを備え、該ワイヤから１列の液体噴霧が吐出され、噴霧の数および間隔が吹き付け中に変化する、請求項１記載の方法。
【請求項９】
前記吹付ヘッドが一連の吐出突起を備え、該突起から１列または複数列の液体噴霧が吐出され、吹き付け中に噴霧パターンが変化する、請求項１記載の方法。
【請求項１０】
前記基板が導電性転写面を備え、前記液体塗膜の一部を該転写面から移動ウェブに転写する、請求項１記載の方法。
【請求項１１】
前記液滴が平均径を有し、前記液体塗膜が平均厚を有し、前記平均径が前記平均厚より大きく、前記塗膜が実質的に空隙を含まない、請求項１記載の方法。
【請求項１２】
前記塗膜が１本または複数本のストライプ状に塗布され、前記ストライプが全体的若しくは部分的に重なり合うか、相互に突き合わせられるか、又は被覆していない基板によって分離される、請求項１記載の方法。
【請求項１３】
相異なる複数の組成物を２本以上のストライプ状に塗布する、請求項１２記載の方法。
【請求項１４】
同一の組成物を２本以上のストライプ状に塗布する、請求項１２記載の方法。
【請求項１５】
基板上に液体塗膜を形成する方法であって、
ａ）静電界に応じたパターンを生成する静電吹付ヘッドから前記基板上または転写面上へ液滴パターンを吹き付けるステップと、
ｂ）前記パターンを第１方向において繰り返し変えるステップと、
ｃ）ｉ）転写面を用いる場合は、こうして塗布された塗膜の一部を前記転写面から前記基板へ転写することと、
ｉｉ）前記塗膜の均等性を第２方向において改善する２つ以上のピックアンドプレース装置に前記塗膜を接触させることと、
を何れかの順番で行うステップとを含む方法。
【請求項１６】
前記静電界を繰り返し電気的に変化させる、請求項１５記載の方法。
【請求項１７】
前記吹付ヘッドと前記基板または転送面との間の電圧を変えることにより前記静電界を変化させる、請求項１６記載の方法。
【請求項１８】
近傍電界調整用電極または第２吹付ヘッドの位置を変えることによって前記静電界を変化させる、請求項１６記載の方法。
【請求項１９】
前記静電界を繰り返し機械的に変化させる、請求項１５記載の方法。
【請求項２０】
前記吹付ヘッドが吐出ワイヤを備え、該ワイヤから１列の液体噴霧が吐出され、噴霧の数および間隔が吹き付け中に変化する、請求項１５記載の方法。
【請求項２１】
前記吹付ヘッドが一連の吐出突起を備え、該突起から１列または複数列の液体噴霧が吐出され、吹き付け中に噴霧パターンが変化する、請求項１５記載の方法。
【請求項２２】
導電性転写面を使用する、請求項１５記載の方法。
【請求項２３】
前記塗膜を３つ以上のピックアンドプレース装置に接触させる、請求項１５記載の方法。
【請求項２４】
前記基板が移動ウェブを含む、請求項１５記載の方法。
【請求項２５】
前記液滴が平均径を有し、前記液体塗膜が平均厚を有し、前記平均径が前記平均厚より大きく、前記塗膜が実質的に空隙を含まない、請求項１５記載の方法。
【請求項２６】
前記塗膜が１本または複数本のストライプ状に塗布され、前記ストライプが全体的若しくは部分的に重なり合うか、相互に突き合わせられるか、又は被覆していない基板によって分離される、請求項１５記載の方法。
【請求項２７】
静電界に応じて基板上に液滴のパターン及び湿潤塗膜を形成する静電吹付ヘッドと、吹き付け中に前記静電界を繰り返し電気的に変化させることにより、前記パターンを繰り返し変化させる装置または回路とを含む被覆装置。
【請求項２８】
前記パターンが第１方向において変化し、前記装置がさらに、前記湿潤塗膜と周期的に接触および再接触して前記塗膜の均等性を第２方向において改善する２つ以上のピックアンドプレース装置を含む、請求項２７記載の装置。
【請求項２９】
前記静電界を連続的に変化させる、請求項２７記載の装置。
【請求項３０】
前記静電界を周期的に変化させる、請求項２７記載の装置。
【請求項３１】
前記静電界を非周期的に変化させる、請求項２７記載の装置。
【請求項３２】
前記静電界を塗膜監視信号に応答して変化させる、請求項２７記載の装置。
【請求項３３】
前記吹付ヘッドと前記基板との間の電圧を変えることによって前記静電界を変化させる、請求項２７記載の装置。
【請求項３４】
前記吹付ヘッドが吐出ワイヤを備え、該ワイヤから１列の液体噴霧を吐出し、噴霧の数および間隔が吹き付け中に変化する、請求項２７記載の装置。
【請求項３５】
前記吹付ヘッドが一連の吐出突起を備え、該突起から１列または複数列の液体噴霧を吐出し、吹き付け中に前記噴霧パターンが変化する、請求項２７記載の装置。
【請求項３６】
前記基板が導電性転写面を備え、前記湿潤塗膜の一部が該転写面から移動ウェブへ転写される、請求項２７記載の装置。
【請求項３７】
前記液滴が平均径を有し、前記液体塗膜が平均厚を有し、前記平均径が前記平均厚より大きく、前記塗膜が実質的に空隙を含まない、請求項２７記載の装置。
【請求項３８】
複数の静電吹付ヘッドが前記基板上に、１種またはそれ以上の組成物を１本または複数本のストライプ状に塗布する、請求項２７記載の装置。
【請求項３９】
前記吹付ヘッドが複数種類の塗料組成物を１本のストライプ状に塗布する、請求項３８記載の装置。
【請求項４０】
前記吹付ヘッドが塗料組成物を複数のストライプ状に塗布する、請求項３８記載の装置。
【請求項４１】
静電界に応じて基板上に液滴パターンと湿潤塗膜を形成する静電吹付ヘッドと、前記静電界を変化させて前記パターンを変更する装置または回路と、前記湿潤塗膜と周期的に接触および再接触することのできる２つ以上のピックアンドプレース装置とを含み、吹き付け中に前記静電界を繰り返し変化させて前記塗膜の均等性を改善するように構成されている被覆装置。
【請求項４２】
前記静電界を繰り返し電気的に変化させる、請求項４１記載の装置。
【請求項４３】
前記静電界を前記吹付ヘッドと前記基板との間の電圧を変えることによって変化させる、請求項４２記載の装置。
【請求項４４】
前記静電界を前記吹付ヘッド近傍の物体の位置を変えることによって変化させる、請求項４２記載の装置。
【請求項４５】
前記静電界を繰り返し機械的に変化させる、請求項４１記載の装置。
【請求項４６】
前記吹付ヘッドが吐出ワイヤを備え、該ワイヤから１列の液体噴霧を吐出し、噴霧の数および間隔が吹き付け中に変化する、請求項４１記載の装置。
【請求項４７】
前記吹付ヘッドが一連の吐出突起を備え、該突起から１列または複数列の液体噴霧を吐出し、吹き付け中に前記噴霧パターンが変化する、請求項４１記載の装置。
【請求項４８】
前記液滴が平均径を有し、前記液体塗膜が平均厚を有し、前記平均径が前記平均厚より大きく、前記塗膜が実質的に空隙を含まない、請求項４１記載の装置。
【請求項４９】
複数の静電吹付ヘッドが前記基板上に１種またはそれ以上の塗料組成物を複数のストライプ状に塗布し、前記複数のストライプが全体的若しくは部分的に重なり合うか、相互に突き合わされるか、又は被覆されていない基板によって分離される、請求項４１記載の装置。
【発明の詳細な説明】
【技術分野】
【０００１】
本発明は基板の被覆を行う装置およびその方法に係る。
【背景技術】
【０００２】
静電吹付被覆とは一般に、液体を霧化した後、霧滴を静電界において付着させて行う方法である。霧滴の平均径と滴径分布は、個々の吹付被覆ヘッドによって大きく変動する場合がある。また、液体のもつ導電性、表面張力、粘度といった要素も滴径と滴径分布を決定する上で大きな役割を果たす。静電吹付被覆ヘッドおよび装置の代表的な例が、例えば米国特許第２，６８５，５３６号、第２，６９５，００２号、第２，７３３，１７１号、第２，８０９，１２８号、第２，８９３，８９４号、第３，４８６，４８３号、第４，７４８，０４３号、第４，７４９，１２５号、第４，７８８，０１６号、第４，８３０，８７２号、第４，８４６，４０７号、第４，８５４，５０６号、第４，９９０，３５９号、第５，０４９，４０４号、第５，３２６，５９８号、第５，７０２，５２７号、第５，９５４，９０７号の各明細書に示されている。金属細長片に対して缶形成用潤滑剤の静電吹き付けを行うための装置については、例えば米国特許第２，４４７，６６４号、第２，７１０，５８９号、第２，７６２，３３１号、第２，９９４，６１８号、第３，７２６，７０１号、第４，０７３，９６６号、第４，１７０，１９３号の各明細書に記載されている。また、ロール式被覆装置については、例えば米国特許第４，５６９，８６４号明細書、欧州特許公開第９４９３８０号明細書、ドイツＯＬＳ  ＤＥ  １９８  １４６８９  Ａ１号明細書に記載されている。
【０００３】
一般に、吹付被覆ヘッドに送られた液体は、そこに印加される静電界の影響を少なくとも部分的に受けて液体の流れが不安定になることが多く、そのため分散して微小液滴になる。一般に、静電吹付被覆ヘッドから吐出される帯電した微小液滴は、電界によって吹付被覆ヘッドを通過する物品、無端ウェブ等の基板に向かって吐出される。用途によって所望の塗膜の厚さの方が平均滴径より大きい場合、液滴を相互に重なり合うように着地させ、融合させて塗膜を形成する。また、所望の塗膜の厚さの方が平均滴径より小さい場合は、衝撃で液滴と液滴の間に間隔をあけ、拡散させて空隙のない塗膜を形成する必要がある。
【０００４】
金属細長片に対して缶形成用潤滑剤の静電吹き付けを行うための装置については、例えば米国特許第３，７２６，７０１号、第４，０７３，９６６号、第４，１７０，１９３号の各明細書に記載されている。米国特許第３，７２６，７０１号では、被塗装物の速度と成膜速度に基づいて、静電位の調節を行っている。
【０００５】
米国特許第２，７３３，１７１号では、静電吹付被覆ヘッドの機械的振動と、吹付被覆ヘッドの間欠運動を利用して、堆積する被覆材料に縞模様やリブが形成されるのを抑制している。
【０００６】
米国特許第５，０４９，４０４号では、誘電静電吹き付けノズルの圧電気振動を利用して、ノズルを出る液体の表面形状を安定化し、流速が低い場合のノズルの詰りを抑制すると共に、非常に薄い塗膜が得られるようにしている。
【０００７】
本出願人の同時係属出願であり、その内容を本明細書に援用する２００１年４月２４日出願の米国特許出願第０９／８４１，３８０号、「静電吹付被覆装置および方法」は、液体で湿潤させた導電性転写面の上に液体の小滴を静電吹き付けし、こうして塗布した液体の一部を転写面から基板へ転写して塗膜を形成する方法により液体塗膜を基板に塗布する装置および方法を開示している。
【０００８】
また、本出願人の同時係属出願であり、その内容を本明細書に援用する２００１年１月１０日出願の米国特許出願第０９／７５７，９５５号、「被覆装置および方法」は、基板上の湿潤塗膜の均等性を改善する装置と方法を開示している。塗膜を第１位置において２つ以上の周期的ピックアンドプレース装置と接触させ、第１位置とは異なる基板上の位置であって、第１位置からの距離に関して相互に関連付けられている位置において再び接触させる。塗膜の塗布は無気吹付ノズル、静電吹付ノズル、回転盤吹付ノズル、空気圧吹付ノズルなどの点源ノズルと、線源霧化装置とを用いて行うことができる。ノズルは基板横断方向に振動させることができる。
【発明の開示】
【発明が解決しようとする課題】
【０００９】
上述出願の装置および方法は、特に組合わせて使用した場合に非常に均等性の高い塗膜を形成することができる。本発明もまた塗膜の均等性を改善するものである。
【課題を解決するための手段】
【００１０】
本発明はその一形態において、基板上に液体塗膜を形成する方法であって、
ａ）静電界に応じたパターンを生成する静電吹付ヘッドから基板上へ液滴パターンを吹き付けるステップと、
ｂ）吹き付けを行いながら静電界を繰り返し電気的に変化させ、それによってパターンを繰り返し変化させるステップとを含む方法を提供する。
【００１１】
好ましい方法は、導電性転写面上に液滴のパターンを吹き付け、こうして塗布した液体の一部を転写面から基板に転写して液体被膜を形成することを含む。
【００１２】
別の形態では、基板上に液体塗膜を形成する方法であって、
ａ）静電界に応じたパターンを生成する静電吹付ヘッドから基板上または転写面上へ液滴パターンを吹き付けるステップと、
ｂ）前記パターンを第１方向において繰り返し変えるステップと、
ｃ）ｉ）転写面を用いる場合は、こうして塗布した塗膜の一部を転写面から基板へ転写することと、
ｉｉ）塗膜の均等性を第２方向において改善する２つ以上のピックアンドプレース装置と塗膜を接触されることとを何れかの順番で行うステップとを含む方法を提供する。
【００１３】
本発明はまた、静電界に応じて基板上に液滴のパターンと湿潤塗膜を生成する静電吹付ヘッドと、吹き付け中に静電界を繰り返し電気的に変化させることにより、前記パターンを繰り返し変化させる装置または回路とを含む被覆装置も提供する。好ましい実施形態では、前記装置または回路が第一方向においてパターンを変更し、湿潤塗膜と周期的に接触または再接触して第２位置において塗膜の均等性を改善することのできる２つ以上のピックアンドプレース装置がさらに設けられる。
【００１４】
本発明の方法および装置は、導電性基板、半導電性基板、絶縁性基板、多孔質基板、非多孔質基板などの上に略均等な薄膜または厚膜を形成することができる。
【発明を実施するための最良の形態】
【００１５】
静電吹付被覆を行う場合、静電吹付被覆ヘッドから堆積される液滴の平均径より所望の塗膜厚さの方が小さいことがある。このような被覆法を「薄膜法」と呼び、形成される塗膜を「薄膜塗膜」と呼ぶことにする。また、静電吹付被覆においては、平均液径より所望の塗膜厚さの方が大きい場合もある。このような被覆法を「厚膜法」と呼び、形成される塗膜を「厚膜塗膜」と呼ぶことにする。
【００１６】
本発明は、導電性、半導電性、絶縁性、多孔質、または非多孔質の基板の上に、溶剤型、水性、無溶剤型等の塗料組成物を用いて、略均等な、空隙の無い薄膜塗膜および厚膜皮膜を塗布するのに利用できる簡便な被覆方法を提供する。本発明の静電吹付被覆装置は、移動するウェブの塗布に特に有用であるが、それに限定されるものではない。必要であれば、基板は有限寸法の個別の物体、あるいは個別物体を連ねたものまたは並べたものとすることもできる。実施形態によっては、被覆に用いる静電吹付被覆ヘッドによって生成される電荷を基板上に堆積することなく塗膜を形成することも可能である。
【００１７】
本発明の一実施形態では、吹き付けを行う際に静電界を繰り返し電気的に変化させることにより、ターゲット基板にパターンを繰り返し変化させながら液滴を堆積する。別の実施形態では、ターゲット基板に堆積する液滴のパターンを（例えば静電界を電気的に繰り返し変化させるか、機械的に繰り返し変化させる方法で）第１方向において繰り返し変化させ、液滴から形成された湿潤塗膜を２つ以上のピックアンドプレース装置と接触させることにより、第２方向における塗膜の均等性を改善する。
【００１８】
ここで「液滴のパターンを繰り返し変化させる」、または「パターンを繰り返し変化させた液滴」と言う時は、湿潤塗膜を移動方向を有する移動ターゲット基板に静電塗布する場合、塗布部分の外形が基板の移動方向以外の方向に物理的に移動すること、または基板上の湿潤塗膜の分布または塗布量が基板の移動方向以外の方向に変化し、かつこのような移動と変化が反復することを意味する。このようなパターンの変化は、例えば液滴が生まれる空間位置（吹付ヘッド上の地点に関する）の変化や、液滴の大きさ、数、または軌道の変化などを通じて生じ得るものである。例えば、基板が第１方向に移動する場合、液滴のパターンによって形成される塗布領域の外形は、第２方向に移動し、１つ以上の第３方向に移動した後第２方向に何度も繰り返し移動する場合もあれば、外形が拡大し、縮小し、その後何度も繰り返し拡大する場合もある。あるいは塗布領域内の液滴が第１分布または塗布量で配置され、１種類以上の分布または塗布量で配置された後、第１の分布または塗布量で何度も繰り返し配置されるかもしれない。このような反復性の変化は、連続的、定期的、周期的である必要はなく、また大きさにおいて等しい必要もないが、液滴のパターンが長時間一定に保持されることのないように、吹付塗布を行う間に頻繁に生じさせる必要がある。
【００１９】
ここで「機械的に繰り返し変化させた」静電界と言う時は、湿潤塗膜を移動方向を有する移動ターゲット基板に静電塗布する際に、液滴のパターンが変化するようにターゲット上方の空間の固定地点に関して吹付ヘッドの位置を十分に移動させること、かつその移動を反復して行うことを意味する。このような反復性の移動は連続的、定期的、周期的である必要はなく、また大きさにおいて等しい必要もないが、液滴のパターンが長時間一定に保持されることのないように、吹付塗布を行う間に頻繁に行う必要がある。このような移動は、例えば吹付ヘッドからターゲットまでの距離を増減したり、吹付ヘッドをターゲットに平行な移動方向に移動させることにより実現することができる。
【００２０】
「電気的に変化させた」静電界と言う時は、吹付ヘッド（あるいは吹付ヘッドおよびターゲット付近にある、電界調整用電極または第２吹付ヘッドなどの１つまたはそれ以上の物体）に印加される電圧または対地電圧を、静電界と液滴のパターンが変化するように十分に変化せしめ、かつその変化を反復すること、あるいは吹付ヘッドまたはターゲット以外の物体を吹付ヘッドに関して十分に移動させることにより、静電界および液滴のパターンを変化させ、かつその移動を反復させることを意味する。これらの反復性の変化または移動は連続的、定期的、周期的である必要はなく、また大きさにおいて等しい必要もないが、液滴のパターンが長時間一定に保持されることのないように、吹付塗布を行う間に頻繁に行う必要がある。このような変化または移動は、例えば吹付ヘッドとターゲット間の電圧を第１の値からそれより高い値または低い値に変えた後、第１の値の方向に戻したり、近傍にある電界調整用電極に印加する電圧を変えたり、あるいは近傍にある静電吹付ヘッドに印加する電圧を変えたり、あるいは近傍にある電界調整用電極または第２静電吹付ヘッドを移動させることにより実現することができる。
【００２１】
「吹付中に」と言う時は、静電吹付ヘッドにより液滴を吹き付けている間を意味する。
【００２２】
「塗膜の均等性を改善する」というのは、上述のような静電界の変化を行うことなく形成した同様の塗膜と比較して、１種以上の均等性測定法により評価した場合に、高い均等性を示すことを意味する。塗膜の均等性の改善を測定するには多くの基準を適用することができる。例えば、厚さ標準偏差、最小（または最大）厚さを平均厚さで割った比、レンジ（一定の観測地点における経時的な最大厚さから最小厚さを引いたものと定義する）、および空隙領域の減少などを挙げることができる。例えば、本発明の好ましい実施形態では、７５％超、さらには９０％超のレンジの縮小を提供する。不連続的な塗膜（すなわち、当初は空隙を有する塗膜）に関しては、本発明では検出可能な空隙の全空隙面積の５０％超、７５％超、９０％超、９９％超の減少、さらには１００％の除去をも実現することができる。当業者であれば理解できるように、塗膜の均等性改善に関して望ましい程度は、塗膜の種類、被覆装置、塗布条件、塗布基板の用途などさまざまな要素によって決まるものである。
【００２３】
本発明の好ましい実施形態では、液滴パターンを第１方向において変化させ、２つ以上のピックアンドプレース装置を用いて塗膜の均等性を第２方向において改善する。この時、第１方向と第２方向はどちらも基板の平面内にあるが相互に異なる方向である。移動ウェブに塗膜を塗布する場合、第１方向は一般にウェブを横断する方向であり、第２方向は一般に縦方向すなわち流れ方向である。
【００２４】
図１ａを参照すると、静電吹付被覆装置３０は、接地した回転式ドラム１４の上に塗布液１３の液滴または霧１３ａのパターンを分注する静電吹付ヘッド３１を備えている。ドラム１４は、ドラム１４の回転周期によって決まる間隔で、ドラム上の同一地点を吹付ヘッド１１の下方に出現させたり出現しないようにしながら、吹付ヘッド１１の側を通って連続的に循環している。当業者であれば理解されるであろうが、このような装置ではドラム等の導電性転写面を接地する必要はなく、必要であれば導電性転写面の電圧を帯電させた霧化粒子より低くするだけで良い。ただし、導電性転写面を接地するのが一般には最も便利な方法である。
【００２５】
吹付ヘッド３１は米国特許第５，３２６，５９８号に示されており、「エレクトロスプレー」ヘッドと呼ばれることがある。上記各特許に示されたものを含めて様々な形式の静電吹付ヘッドを用いることができる。静電吹付ヘッドは帯電液滴を略均等に噴霧するのが好ましい。吹付ヘッドに一連の吐出突起を設け、吹付中に噴霧パターンを変えながらこれらの突起から１列以上の噴霧が吐出されるように構成することができる。より好ましくは、静電吹付ヘッド（または適宜に連結した一連の静電吹付ヘッド）が列等のアレー状帯電液滴を生成し、これらの液滴が一つ以上の噴霧を形成するようにする。吹付ヘッド３１は、液体供給通路３３とスロット３４とを備えるダイボディ３２を含む。液体１３は通路３３とスロット３４を流れた後、ワイヤ３６の上を流れ、ワイヤ３６の周りに略一定の曲率半径を有する液体薄膜１３を形成する。吹付ヘッド３１とドラム１４の間の第１電圧Ｖ1が電界を生み出し、液滴の霧化を助けると共に液滴をドラム１４に向かって付勢する。液滴に影響を及ぼす電界は、吹付ヘッド３１によって堆積される霧滴のパターンを変化させるように、吹付中、繰り返し変えられる。電極３５とドラム１４の間に任意に印加される電圧Ｖ2は、液滴をドラム１４に向かって付勢する付加的電界を生み出す。必要に応じて、第２電圧Ｖ2を省略し、電極３５を接地しても良い。電圧Ｖ1を印加すると、液体１３は一連の液体フィラメントを間隔をあけて形成し（図３ａに不図示）、これらが分裂してワイヤ３６から下方向に延びる噴霧１３ａとなる。噴霧１３ａはその先端において分裂して、高度に帯電した液滴の均等な噴霧が生成され、回転ドラム１４に着地する。印加電圧を一定とした場合、噴霧１３ａはワイヤ３６において空間的時間的に一定である。印加電圧Ｖ1が変わると、ワイヤ３６におけるフィラメントおよび噴霧の数と間隔が変わり、それによってドラム１４に堆積される液滴のパターンがウェブの横断方向に移動する。
【００２６】
ドラム１４が回転するに従って、帯電した液滴を入口地点１７において移動ウェブ１６と接触させる。ニップローラ２６が入口地点１７において移動ウェブ１６をドラム１４に押圧する。ニップ圧に助けられて、既にドラム１４上に着地している液滴は分離地点１８に来るまでに拡散融合して空隙の無い塗膜となる。分離地点１８において塗膜の一部はウェブ１６上に残るが、残りの部分はドラム１４上に残る。ドラム１４が何回か回転すると安定した状態となり、ドラム１４の全表面が塗料で湿潤した状態となり、ウェブ１６によって除去される塗料の量とドラム１４上に堆積する塗料の量が等しくなる。湿潤したドラム１４表面は、新たに塗布される液滴３がウェブ１６と接触する前に拡散融合するのを助ける働きをする。液滴の拡散に関する問題は、ドラム１４にニップローラ２６が圧力を加えることによってさらに低減される。霧化した液滴を直接基板上に吹き付け、液滴自体の物理特性による速度で拡散させる場合に比較して、はるかに短時間で液滴が融合し、塗膜が連続するようになる。このことは液滴が広範囲に分離されがちな薄膜塗布の場合に特に有利である。
【００２７】
装置３０は８ロール式改善ステーション３７を組み入れており、その動作については本出願人の同時係属出願である２００１年１月１０日出願の米国特許出願第０９／７５７，９５５号明細書に記載されている通りである。改善ステーション３７はアイドラーローラ３８ａ〜３８ｇと径が等しくないピックアンドプレースローラ３９ａ〜３９ｈを備える。改善ステーションにおいて、ウェブ１６の湿潤側がピックアンドプレースローラ３９ａ〜３９ｈの湿潤面に接触し、以下に詳述するように塗膜はウェブ下流方向において均等性を高めて行く。図１ａに示した装置と方法は、ウェブ下流方向の均等性が高い非常に薄い塗膜を形成するのに特に有利である。
【００２８】
図１ｂは図１ａの静電吹付ヘッド３１とドラム１４を装置３０のウェブ上流側から見た斜視図である。サイドパン１２ａが滑り棒１２ｂ、１２ｃに装着され、サイドパン１５ａが滑り棒１５ｂ、１５ｃに装着されている。サイドパン１２ａとサイドパン１５ａは相互に接近・離開する方向に移動させて塗布幅を制御することができる。液体噴霧１３ａがワイヤ３６の下方に延びている。余分な塗布液はダム１２ｄ、１５ｄにより排出される。必要であれば、滑り棒１２ｂ、１２ｃ、１５ｂ、１５ｃを相互に接触するまで移動させた後、さらに可変幅のパンを滑り棒沿いに追加して、ウェブ下流方向にストライプをつけた塗布パターンを生成することができる。
【００２９】
図１ｃは図１ａの静電吹付ヘッド３１とドラム１４を装置３０のウェブ下流側から見た斜視図である。明確化のため電極３５は省略されている。ドラム１４上の中心ストライプが塗布液１３で湿潤される。液体噴霧１３ａがワイヤ３６の下方に伸びているが、図１ｃにおいては電圧Ｖ1が低くなっているため、図１ｂよりワイヤ３６沿いの単位長さあたりのフィラメントの数が少なく（従って噴霧１３ａの数も少なく）なっている。
【００３０】
噴霧１３ａ間に間隔があるため、ドラム１４上に着地する液滴はドラム１４の横方向に塗布厚さの大きい領域と小さい領域を形成しがちである。薄膜塗布の場合、塗布厚さの小さい領域は図１ｂに示したような細いストライプ１３ｂのように見えることがある。ニップローラ２６と分離地点１８を通過した後、ストライプは図１ｃから最もよく分かるように、噴霧１３ａのターゲット領域と分離地点１８との間のドラム１４において、ストライプは最も目立たなくなる。
【００３１】
噴射を行いながら静電界を変化させることによって、これらの厚みが小さい領域はさらに目立たなくなり、ターゲット基板上または転写面上の塗膜の均等性が改善される。静電界の変更は多くの方法で実施することができる。例えば、図１ａ〜図１ｃに示した吹付ヘッドの場合、吹付ヘッド３１とドラム１４の間の電圧Ｖ1を繰り返し変化させることにより、ワイヤ３６沿いの噴霧の数と間隔が可視的に変化し、液滴のパターンをドラム１４に沿って、ウェブの幅方向に前後に移動させる。この他吹き付けを行いながら静電界を変化させる方法としては、ドラム１４やその他ターゲットの電位を上下させる（例えば電位を大地電位より高くした後大地電位に戻すなど）、近傍の電界調整用電極または第２静電吹付ヘッドに印加する電圧を上下させる、近傍の電界調整用電極または第２静電吹付ヘッドを、第１吹付ヘッドの静電界を変更できるように移動させる、基板に予備充電する際に予備充電電圧を上下させる、などの方法がある。電界調整用電極を２個使用する場合、一方の電極に非対称電圧を印加し、他方の電極は大地電圧または異なる電圧に維持した後、吹き付け中に変化させることができる。吹き付け中に液滴のパターンを適正に変化させることができれば、具体的にどの技術を選ぶかは重要な問題ではない。一般に、静電界変更技術を好ましいとするのは、この技術では基板上の区間の固定地点に関して吹付ヘッドの位置を物理的に変化させる必要がなく、構造が簡単になる上、機械的磨耗の原因を取り除くことができるためである。
【００３２】
静電界の変更は周期的（例えば正弦波、方形波などの周期関数）でも非周期的（例えば時間の線形ランプ関数、ランダムウォーク等の非周期関数）でも良い。このような変更の全てが有効であると思われるが、正弦波等の平滑な周期関数が好ましい。周波数については、零から静電吹付ヘッドの構成および塗布液の組成によっても決まる上限値までの幅の周波数を用いることができるが、上限値より高くなると液滴のパターンを大幅に変更することは困難になる場合がある。
【００３３】
図２ａは静電吹付ヘッドに印加する電圧を変更するために使用できる回路を簡単に示した図である。関数発生器１０と直流（ＤＣ）低電圧源２０との少なくとも何れか一方が調節可能な出力電圧を有する。関数発生器１０は出力波形と期間も調節可能である。関数発生器１０と電圧源２０は高電圧電源２２の入力に直列接続されており、関数発生器１０と直列にＤＣ低電圧源２０の両端で生成される全電圧を加算的または減算的に変更する波形を関数発生器１０が生成するように調節される。例えば、高電圧電源２２が５０ｋＶの出力を出すのに＋１０ＶＤＣの入力を要する場合、関数発生器１０は山から山まで約±１ＶＡＣの交流波形を生成するように調節し、直流源２０は約＋７ＶＤＣ生成するように調節すれば良い。正味効果は、電源２２に対して約＋６ＶＤＣから約＋８ＶＤＣの範囲で周期的に変化する入力信号を供給することによって、吐出ワイヤ３６と地面との間に約３０ｋＶ〜４０ｋＶで周期的に対応して変化する電圧を生成することにある。電圧が変化するに従って、ワイヤ３６沿いの噴霧１３ａの数と間隔が変化し、それによって液滴が空間内で生成される場所がワイヤ３６上の基準点（例えば図２ｂおよび図２ｃの地点Ｃ）に関して変化する。ターゲット基板上に堆積される液滴のパターンも同様に変化する。図２ｂに示すように、高電圧では吐出ワイヤ３６沿いに形成される噴霧１３ａの数が比較的多く、間隔が比較的狭くなっている。図２ｃに示すように、低電圧では吐出ワイヤ３６沿いに形成される噴霧１３ａの数が少なく、間隔は広くなっている。電圧の変化に伴って、噴霧１３ａはワイヤ３６に沿って前後に移動し、ドラム１４上に塗膜厚さの大きい領域と小さい領域を周期的に転換しながら生成する。こうして形成される塗膜厚さの大きい領域と小さい領域を均す作業は、改善ステーション３７を用いることによって、吹き付け中静電界を固定させ、噴霧と厚い領域・薄い領域の位置を変えない場合に比較して、はるかに容易に行うことができる。
【００３４】
図３においては、図１の装置３０が用いられているが、アイドラーローラ３８ａが改善ローラに変換され、ウェブ１６はドラム１４の上部を通るように装着されている。この構成では、最初に形成される塗膜の平坦性が図１ａ〜図１ｃの装置に比較して低くなる。図３の装置において絶縁性基板の塗布を行う場合、通常は静電ウェブの予備帯電（図３では２３に図示）が必要となり、塗布後の中和（図３では２５に図示）を行うのが好ましく、改善ステーションを用いるのが好ましいといことになる。
【００３５】
図１ａ〜図１ｃの装置を用いる場合も、必要に応じてウェブの予備帯電を行うことができる。ただし、図１ａ〜図１ｃの装置の大きな利点は、ウェブの予備帯電および塗布後の中和の必要なしに絶縁性および半導電性基板の塗布を行えることにある。
【００３６】
図４ａは、接地した循環式導電性転写ベルト４１上に塗布液１３の噴霧１３ａを分注する静電吹付ヘッド１１を備えた本発明の被覆装置４０を示している。装置４０は導電性転写面を循環させ、略均等に塗布する目的で改善ステーションを用いている。ベルト４１（金属帯など導電性材料で形成される）は、操舵部４２、アイドラーローラ４３ａ、４３ｂ、４３ｃ、４３ｄ、不等径のピックアンドプレースローラ４４ａ、４４ｂ、４４ｃ、バックアップローラ４５を通って循環する。ターゲットウェブ４８は電動ローラ４９によって駆動され、ベルト４１がバックアップローラ４５の周りを循環する際にベルト４１と接触する。ピックアンドプレースローラ４４ａ、４４ｂ、４４ｃは駆動されないためベルト４１と共に回転し、それぞれ例えば１．３６と１．２６と１の相対径を有している。ベルト４１上の塗膜が液体を満たしたニップ領域４６ａ、４６ｂ、４６ｃにおいてピックアンドプレースローラ４４ａ、４４ｂ、４４ｃの表面と接触する。液体塗膜は分離地点４７ａ、４７ｂ、４７ｃにおいて分離し、塗膜の一部はピックアンドプレースローラ４４ａ、４４ｂ、４４ｃが分離地点４７ａ、４７ｂ、４７ｃから遠ざかる方向に回転する際にその上に残ったままとなる。その他の部分の塗膜はベルト４１と共に移動して行く。分離地点４７ａ、４７ｂ、４７ｃ直前で見られる塗膜厚さのウェブ下流方向におけるばらつきは、ベルト４１およびピックアンドプレースローラ４４ａ、４４ｂ、４４ｃの表面が分離地点４７ａ、４７ｂ、４７ｃを離れる際に双方の塗膜の厚さにそのまま反映される。ベルト４１がさらに移動すると、ピックアンドプレースローラ４４ａ、４４ｂ、４４ｃ上の液体がベルト４１上のベルト４１に沿った新しい位置にさらに堆積される。
【００３７】
装置４０を始動してからベルト４１が数回回転すると、ベルト４１とローラ４４ａ、４４ｂ、４４ｃの表面は略均等な液体１３の層で被覆された状態となる。ベルト４１が液体で被覆されると、塗布液１３の霧滴がベルト４１に到達する領域に三相（空気と塗布液とベルト）の湿潤線が形成されることはなくなる。このため、乾いたウェブに直接塗布する場合に比べて、塗布液１４をはるかに容易に塗布することができる。
【００３８】
ローラ４５とローラ４９で挟むと、ベルト４１上の湿潤塗膜の一部がターゲットウェブ４８上に転写される。ローラ４５と４９のニップでは液体の約半分しか転写されないため、吹付ヘッド１１のすぐ下流の領域ではベルト４１上の厚みの不均等性の割合は、転写ベルトを用いずに、また同数のローラを有する改善ステーションに被覆したウェブを通すことなく、乾燥ウェブに塗布する場合に比べて、はるかに小さくなる（例えば半分程度まで）のが普通である。定常運転では、塗膜がターゲットウェブ４８に転写されるのと同じ平均速度で吹付ヘッド１１から塗布液１３がベルト４１に加えられる。
【００３９】
ベルト４１と図４ａの任意のローラとの間、あるいはベルト４１とウェブ４８の間に速度差を持たせることもできるが、ベルト４１とピックアンドプレースローラ４４ａ、４４ｂ、４４ｃの間、あるいはベルト４１とウェブ４８との間には速度差をもたせない方が好ましい。その方が装置４０の機械的構造が簡素化されるためである。
【００４０】
図４ｂは図４ａのローラ４５、４９の拡大図である。図４ｂに示すように、ターゲットウェブ４８は多孔質である。ターゲットウェブ４８は必要に応じて非多孔質としても良い。ニップ圧を適宜調節することにより、湿潤塗膜が多孔質ターゲットウェブ内の細孔の中に浸透するのを制御し、多孔質ウェブの上表面に留めて、ウェブの他の表面、また好ましくはウェブの内部に浸透しないようにすることができる。これに対して、従来の静電吹付被覆やその他の吹付被覆技術を用いて多孔質ウェブに直接塗布を行った場合、霧化した液滴はウェブ内まで浸透することが多く、ウェブの細孔全体に完全に浸透する場合もある。織目の大きい織物ウェブや空隙率の大きい不織ウェブに関しては、特にこのことが言える。
【００４１】
図５ａと図５ｂは、隣接するレーン、重なり合うレーン、または別個のレーンにおいてウェブにストライプ状に塗布することのできる本発明装置５０の略側面図と略端面図である。一連の静電吹付ヘッド５１ａ、５１ｂ、５１ｃが、ウェブ５３の幅方向に間隔をおいた位置でウェブ５３に対して液体の噴霧５２ａ、５２ｂ、５２ｃを当てる。ウェブ５３はニップローラ５４ａ、５４ｂ、５４ｃの上、回転式導電ドラム５５ａ、５５ｂ、５５ｃの下、引取ローラ５６ａ、５６ｂ、５６ｃの上を通過する。接地板５７ａ、５７ｂ、５７ｃ、５７ｄが静電吹付ヘッド５１ａ、５１ｂ、５１ｃ間の静電干渉を抑制する働きをするが、必要であれば変動電圧に曝すことにより静電干渉を生じさせて、静電界の一つまたはそれ以上を変化させるようにしても良い。ドラム５５ｂはドラム５５ａに塗布された塗膜用の改善ステーションの働きをし、ドラム５５ｃはドラム５５ａと５５ｂに塗布された塗膜用の改善ステーションの働きをする。
【００４２】
図５ｂに示すように、静電吹付ヘッド５１ａ、５１ｂ、５１ｃはそれぞれのレーンにおいてストライプ状に塗膜を塗布することができるように設置されている。当業者であれば理解されるであろうが、静電吹付ヘッド５１ａ、５１ｂ、５１ｃはこれ以外の横方向の位置に間隔をあけて設けても良いし、ドラム５５ｃの上にサイドパン１２ａ、１５ａのようなサイドパン等のマスキング装置（明解さを期すため図５ｂでは一方のみを図示）用いて、これを調節することにより塗膜の各ストライプの横方向の位置と幅を制御することができる。このように、塗膜のストライプは必要に応じて全体的または部分的に重ね合わせたり、突合せたり、被覆されていないウェブのストライプによって分離したりすることができる。当業者であれば理解されるように、静電吹付ヘッド５１ａ、５１ｂ、５１ｃにそれぞれ異なる塗布用化学品を容れて、複数種類の化学品をウェブ５３に同時に塗布するようにすることもできる。
【００４３】
図５ｃは、一つの回転式導電性ドラム１４またはその他の転写面と、複数の静電吹付ヘッド５９ａ、５９ｂを使ってそれぞれのレーンにストライプ状に塗膜を塗布することのできる本発明装置５８を示す略側面図である。図５ａおよび図５ｂの装置５０と同様に、装置５８の静電吹付ヘッド５９ａ、５９ｂも様々な横方向の位置に間隔をあけて配置して、サイドパン等のマスキング装置を用いて塗膜のストライプの横方向の位置および幅を制御するように調節できる。こうすることで装置５８の生成する塗膜のストライプを、必要に応じて全体的または部分的に重ね合わせたり、突き合わせたり、被覆されていないウェブのストライプによって分離したりすることができる。静電吹付ヘッド５９ａ、５９ｂが相互に十分に近接して配置されていれば、一方の静電吹付ヘッド５９ａまたは５９ｂにおいて静電界を変化させることにより、他方の静電吹付ヘッド５９ａまたは５９ｂの静電界を変化させ、両吹付ヘッドによって生成される液滴のパターンを変えることができる。
【００４４】
転写面（例えば図５ｃのドラム１４）の上方に２つ以上の吹付ヘッドを配置して、同一レーンに２種類以上の液体を堆積するように構成することができる。このような構成によって、独自の組成の組合せや積層塗膜を混合して塗布することが可能となる。例えば、無溶剤型シリコーン配合物の中には２種類の不混和性化学物質を用いるものがある。このような配合物は、混合すると混濁し、さらに相当な期間静置すると２相以上に分離する２種類のアクリル化ポリシロキサンを含む場合がある。また、多くのエポキシ・シリコーンポリマー前駆体等の重合可能な配合物は、残りの成分と不混和性の液体触媒成分を含有する。このような配合成分を連続するノズルから順次吹き付けることにより、各成分の配合と、ウェブ下流方向での成分濃度および厚さを調整することができる。連続して配設した吹付ヘッドの後に改善ステーションを通る塗布膜の通路を設け、これらを組合せて用いることにより、各成分の分離および合流を繰り返し行うことができる。このような構成は混合が難しい配合物や反応の速い配合物に特に有用である。
【００４５】
必要に応じて、不活性雰囲気または不活性でない雰囲気を用いることにより、液滴が吹付ヘッドから基板または転写面へと移動する際に液滴の反応を抑制または促進することができる。また、基板または転写面を加熱または冷却することにより、塗布液による反応を促進または抑制することができる。
【００４６】
静電界を周期的に電気的に変化させることと液滴のパターンを回転ドラムに塗布することに関しては、変更の期間とドラムの回転角振動数とを関係付ける計算式から本発明についての理解がより深められるであろう。周期τを有する変動電圧Ｖを典型的な静電吹付ヘッドに印加した場合、噴霧パターンも周期τで変動する。このような静電吹付ヘッドを用いて、半径ＲDを有し表面速度Ｓで移動する回転ドラム上に塗膜を堆積し、この塗膜をドラムの下に巻回されている移動ウェブに転写することができる。ここではウェブとドラム面とが同速度あるいはほぼ同速度で移動すると仮定する。ドラム面上の一点が短時間ｄｔに短距離ｄｓ移動すると、Ｓ＝ｄｓ／ｄｔとなる。ドラム上の一地点の回転を説明するには、ドラムの中心軸と座標系の原点とを一致させた円筒座標系を用いると便利である。２本の線のうち第１の線を空間に固定して、両方共中心軸に対して直角に引くことができる。第２の線は空間内をドラムと共に回転するように、中心軸からドラム面の固定点へと引く。これら２本の線の成す角度を角度θを用いて定義することができる。この場合、ドラムの回転に伴って角度θは時間ｔにおけるθから、時間ｔ＋ｄｔにおけるθ＋ｄθへと変動する。ドラム面上の一地点はこの時間ｄｔの間に距離ｄｓ移動することになる。距離ｄｓは弧長ＲDｄθによっても定義される。その結果、ωD＝ｄθ／ｄｔをドラムの回転角振動数とするとき、ｄｓ＝ＲDｄθ＝ＲDｄθ（ｄｔ／ｄｔ）＝ＲD（ｄθ／ｄｔ）ｄｔ＝ＲDωDｄｔとなる。従って、Ｓ＝ｄｓ／ｄｔ＝ＲDωDはウェブ速度Ｓをドラムの半径ＲDおよびドラムの回転角振動数ωDと関係付ける。同様に、ｔ＝０においてθ＝０の場合、θ＝２πでローラが１回完全に回転することになる。この１回の回転を行う時間を回転時間τDと定義すると、ｄθ＝ωDτｄDであるから、２π＝ωDτDとなる。すなわち、角振動数と周期はωD＝２π／τDで関係付けられる。
【００４７】
このように角振動数とその周期を関係付けるという概念は、時間的に反復動作する装置に適用できる一般的な概念である。従って、噴霧に周期τで液滴のパターンを振動させた場合、その角振動数ωは周期τとω＝２π／τで関係付けられる。このような噴霧を周期τでウェブの横方向に変化させた場合、振動噴霧の角振動数はω＝２π／τとなる。振動噴霧の周期τを、ドラムが一回転するのに要する周期τDより長くした場合、ドラムは噴霧パターンが１回の振動を完全に終えるより短時間で１回完全に回転することになる。ドラムは複数回の回転を行うかもしれないので、結果的にドラム上の特定個所に塗布パターンを繰り返し堆積することになる。ＩSを小さい方の整数、ＩLを大きい方の整数とするとき、ＩLτD＝ＩSτである場合に塗布パターンが反復される。τDはドラムが１回回転する時間であるため、ＩLは噴霧パターンがドラム上に完全に同じように反復されるまでに必要なドラムの回転数となる。同様にＩSは噴霧パターンがドラム上で反復するまでに必要な噴霧パターンの周期の数となる。周期を逆にしても同じことが言える。すなわち、τDがτより大きい場合、ＩSを小さい方の整数、ＩLを大きい方の整数とするとき、ＩSτD＝ＩLτである場合に塗布パターンが繰り返されることになる。τDはドラムが１回回転する時間であるため、ＩSはこの場合にはドラム上に噴霧パターンを繰り返すまでに必要なドラムの回転数を表し、ＩLが噴霧パターンがドラム上で反復するまでに必要な噴霧パターンの周期の数を表すことになる。
【００４８】
τDが噴霧パターン周期τより小さいか大きいかが分かると、塗膜パターンを反復するために必要な実際の回転数を決定することができる。いずれの場合にも手続きは同じである。例えば、ドラムの回転時間τDが噴霧パターン周期τより小さい場合を想定すると、ＩLτD＝ＩSτの基準を満足する必要がある。ドラムの半径ＲDが分かっており、噴霧の振動周期τを測定した場合、Ｎを必ずしも整数ではない数とした時にτ／τD＝ＩL／ＩS＝［τ／（２πＲD）］Ｓ＝Ｎとなる。ドラム上に出現する反復噴霧パターンに関する要件は、τ／τD＝ＩL／ＩS＝Ｎ、あるいは単にＮＩS＝ＩLまで減少される。整数ＩSの数値を求めるためには、展開表の欄の上から下へと整数１，２，３，．．．ｎを書き込み、対応するセルの隣の欄において各整数にＮを掛ける。これによって２番目の欄の積が整数になる一番目の列がＩLの値を生むことになる。代替的に、Ｘを任意の数字とした場合、Ｘが整数の時に限ってＸ−ＩＮＴ（Ｘ）＝０となるため、展開表の１番目の欄においてＩiをｉ番目の整数（すなわちＩ1＝１，Ｉ2＝２，Ｉ3＝３，．．．Ｉi＝ｉ，．．．Ｉn＝ｎ）として、展開表の２番目の欄の対応するセルにＮＩi−ＩＮＴ（ＮＩi）の値を入れても良い。この数値がゼロに等しい場合、１番目の欄の対応する整数がＩSを表す。いずれの場合にも、上述の方法の何れかによってＩSかＩLの何れかが求められれば、Ｎは既に分かっているのでもう一つの整数もＩL／ＩS＝Ｎから求めることができる。その結果噴霧パターンがドラム上で反復するまでに必要なドラムの回転数と噴霧パターンの周期の数を求めることができる。
【００４９】
上述のように、本発明の方法および装置は塗膜の第２方向における均等性を改善するピックアンドプレース装置を２つ以上備える改善ステーションを利用することができる。移動ウェブへの塗布とウェブの幅方向での液滴パターンの変更を伴う方法の場合、この第２方向とは一般にウェブの下流方向である。改善ステーションに関しては、上記同時係属米国特許出願第０９／７５７，９５５号に記載されているが、さらに以下の通り説明することができる。図６を参照すると、基板（例えば連続ウェブ）６０上に呼称厚さｈの液体塗膜が設けられている。この呼称厚さより高い高さＨの変則的な局部スパイク６２が何らかの理由により形成された場合、あるいは変則的局部的な陥没部（呼称厚さより小さい深さＨ’の部分空洞６３または深さｈの空隙部６４など）が何らかの理由で発生した場合、被覆した基板の一部が欠陥品となって使用不能となる。改善ステーションは２つ以上のピックアンドプレース装置（図６では不図示）の塗布液で湿潤した表面を塗膜６１と定期的（例えば周期的）に接触させる。これによってスパイク６２のような塗膜の平坦でない部分を摘み取って基板の別の場所に配置したり、空洞６３や空隙６４のような塗膜の平坦でない部分に塗布材料を入れることが可能となる。ピックアンドプレース装置の配置周期は、装置の作用によって基板上の塗膜の欠陥が助長されることのないように選択される。必要に応じて、欠陥が出現した時に限ってピックアンドプレース装置を塗膜と接触させるようにしても良い。また、代替的に、接触地点の欠陥の有無に拘らずピックアンドプレース装置と塗膜を接触させるようにしても良い。
【００５０】
ウェブ６０上の塗膜改善のために本発明において使用できる種類のピックアンドプレース装置７０を示したのが図７である。ピックアンドプレース装置７０は装置７０がその周りで回転する中心ハブ７１を備える。装置７０は移動ウェブ６０の被覆幅に亘って延び、移動ウェブ６０はローラ７２上の装置７０を通って移送される。ハブ７１からは２本のラジアルアーム７３、７４が延設されており、これらのアームにピックアンドプレース面７５、７６が取り付けられている。ピックアンドプレース面７５、７６は湾曲されており、装置７０が回転すると単一の円弧を描くように構成されている。ピックアンドプレース面７５、７６の回転とウェブ６０に対する空間的関係により、ピックアンドプレース面７５、７６はローラ７２に相対してウェブ６０と周期的に接触する。ウェブ６０の幅Ａの接触ゾーンは、始点７７から分離点７７まで、ウェブ６０上の湿潤塗膜（図７では不図示）とピックアンドプレース面７５、７６とによって埋められる。分離点においては、ピックアンドプレース装置７０が回転を続け、ウェブ６０がローラ７２の上を移動するのに伴い、ある程度の液体がウェブと６０とピックアンドプレース面７５の両方に残ったままとなる。１回の回転が終わると、ピックアンドプレース面７５が液体の一部をウェブ６０の長手方向の新しい位置に配置する。その間にウェブ６０は、ウェブ速度にピックアンドプレース面７５が一回転するのに必要な時間を掛けた積に等しい距離だけ移動している。このようにして、塗布液の一部をウェブ上のある位置から取り上げて、それをウェブの別の場所に別の時に配置することができる。ピックアンドプレース面７５、７６の両方がこの作用を生み出す。
【００５１】
ピックアンドプレース装置の周期は、該装置が基板のある位置から湿潤塗膜の一部を取り上げた後、これを別の場所に配置するのに要する時間、あるいは装置の表面部分が連続して接触する２つの地点間の距離によって表すことができる。例えば、図７の装置７０が６０ｒｐｍで回転し、装置に対する基板の相対運動が一定とした場合、周期は１秒である。
【００５２】
２種類以上の周期、より好ましくは３種類以上の周期を有する複数のピックアンドプレース装置が使用される。最も好ましくは、このような周期の対がお互いの整数倍とならないようにする。ピックアンドプレース装置の周期は多くの方法で変更することができる。例えば、回転装置の直径を変える方法、回転装置または揺動装置の速度を変える方法、定位置にいる観察者から見た時に基板の長さ方向（例えばウェブの上流方向または下流方向）において装置をその初期の空間的位置に関して繰り返し（例えば連続的に）移動させる方法、あるいは回転装置の回転速度に関して基板の移動速度を変える方法などがある。周期は平滑的に変動する関数とする必要はなく、経時的に一定とする必要もない。
【００５３】
多くの種類の機構によって、液体を塗布した基板との周期的接触を生み出すことができ、多くの種類の形状と構造を有するピックアンドプレース装置を使用することができる。例えば、往復機構（例えば上下に動く機構）を用いてピックアンドプレース装置の塗布液で湿潤した表面を揺動させて基板と接触させたり分離させたりすることができる。ピックアンドプレース装置を回転させるのが好ましいのは、装置に回転運動を与えるのは簡単である上、装置を機械的磨耗に対して比較的耐性のある軸受け等の適当なキャリヤを用いて支持することができるためである。
【００５４】
図７のピックアンドプレース装置はダンベル形状で２つの非連続的接触面を備えているが、ピックアンドプレース装置は他の形状としても良く、非連続的接触面を備える必要もない。既に図１ａ、図３および図４ａに示したように、ピックアンドプレース装置を基板と接触する一連のローラとしたり、その湿潤側が一連の湿潤ローラおよび基板と接触する無端ベルトとしたり、あるいはこれらの組合せとしても良い。これらの回転式ピックアンドプレース装置は、基板と連続して接触させるのが好ましい。
【００５５】
移動するウェブまたはその他移動方向を有する基板に塗布する場合、回転ローラを用いた改善ステーションが好ましい。ローラは移動基板と同じ周速度、あるいはそれより低速または高速で回転させることができる。必要により、移動基板と反対方向に装置を回転させても良い。回転式ピックアンドプレース装置の少なくとも２つの回転方向を同じにし、かつ周期的な関係がないようにするのが好ましい。より好ましくは、ウェブ等の移動方向を有する基板上の塗膜を改善することを伴う用途に関しては、少なくとも２つのピックアンドプレース装置を基板と同じ方向にかつ略同じ速度で回転させる。最も好ましくは、ピックアンドプレース装置全部を基板と同じ方向にかつ略同じ速度で回転させる。このことは、基板に当接して基板の移動と共に運ばれる非駆動の共回転ローラを用いて容易に達成することができる。
【００５６】
図７に示すようなピックアンドプレース装置と塗膜を初期接触させると、材料に欠陥のある部分が生まれる。開始時はピックアンドプレース転写面７５、７６が乾燥しており、最初の接触が行われる時に、装置７０は領域Ａのウェブ６０上の第１位置においてウェブ６０と接触する。分離地点７７において、始点７８において領域Ａに入った液体のほぼ半分が転写面７５、７６を塗布液で湿潤させ、ウェブから除去される。例えここに到達する前の塗膜の厚さが均等で所望の平均厚さと等しいものであっても、このように液体が分割されることでウェブ６０上に塗膜厚さが小さく欠陥のある地点が生み出される。転写面７５または７６が第２位置においてウェブ６０と再び接触すると、第２の塗膜液との接触および分離が生じ、第２欠陥領域が生まれる。ところが、この塗膜の欠陥は第１の欠陥領域に比べて程度の低いものとなっている。この後順次接触する毎にウェブ上の欠陥領域は小さくなって行き、平均厚さからの偏差が次第に小さくなって遂には平衡に達する。このように、初期接触によってある時間にわたって周期的に厚さのばらつきが生み出される。これは欠陥が反復されるということであり、それ自体は望ましくないものであろう。
【００５７】
ウェブと転写面との間の液体の分割比率が常に一定値であるという保証はない。この分割比率には多くの要素が影響するが、これらの要素が予測不能であることが多い。分割比率が急激に変化すると、ピックアンドプレース装置を長時間運転していた場合でも、ウェブの下流方向に周期的な厚さのばらつきが生じる。ピックアンドプレース装置の転送面に異物が付着すると、装置は接触する度にウェブの下流方向に周期的な欠陥を生成する場合がある。従って、ピックアンドプレース装置を１つのみ使用した場合では、大量のスクラップ材料を生み出す可能性がある。
【００５８】
改善ステーションは塗膜の均等性を良好にするために、２つ以上、好ましくは３つ以上、より好ましくは５つ以上あるいは８つ以上のピックアンドプレース装置を用いる。ピックアンドプレース転送面上の塗布液が平衡値に到達した後に、塗膜の厚さが高かったり低かったりする不規則なスパイクがステーションを通過する場合がある。このような状態が生じて、しかも欠陥が接触する場合、単一のピックアンドプレース装置、または接触周期が同じである複数のピックアンドプレース装置のアレーがウェブと周期的に接触すると、ウェブの下流方向に周期的な厚さの欠陥を再び伝播する結果となる。この場合もスクラップが生み出されるため、当業者であればこのような装置を回避するであろうと思われる。長いウェブに元々の欠陥の像を多数含むものより、塗布ウェブの欠陥が一つだけの方がはるかに良い。従って、装置を１つだけとしたり、接触周期が同じまたは強化し合う一連の装置を用いることは非常に有害となり得る。ただし、ステーションに入る不規則な初期的欠陥または第１接触により生まれる欠陥は、欠陥を伝播するのではなく減少させるように接触周期を選択した２つ以上のピックアンドプレース装置から成る改善ステーションを使用することによって無くすことができる。このような改善ステーションは、長く延びる欠陥塗膜の代わりに、改良された塗膜の均等性を提供することができ、進入する欠陥を、その欠陥がもはや問題ではない程度まで低減することができる。
【００５９】
上述の静電吹付ヘッドと改善ステーションを組合わせて使用することにより、改善ステーションの出口においてウェブ下流方向に新たな塗膜プロファイルが生成される。すなわち、複数のピックアンドプレース装置を用いることにより、静電吹付ヘッドから塗布される塗膜の欠陥を修正することができる。これらの欠陥は、改善ステーションの第１装置により欠陥像として再伝播され、第２の装置および任意の後続装置によって伝播および再伝播された別の欠陥像によって変更される。これを建設的および破壊的加算の方法で利用して、結果がほぼ均等な厚みまたは厚さの変動が制御されたものとなるようにすることができる。実際に複数の波形を生成し、これらを各波形の建設的加算と破壊的加算が組み合さって所望程度の均等性が生まれるように加算する場合がある。やや見方を変えると、塗膜の乱れが改善ステーションを通過する際に、塗膜の一部が高くなっている地点から実際に摘み取られて、低い地点に配置される。
【００６０】
本発明の改善プロセスを数学的にモデリングすると、理解を深める上で役立つと思われる。モデリングは流体力学に基づくもので、観察可能な結果と良く一致する。図８は、周期的に接触するピックアンドプレース転写装置（図８には不図示）に接近するウェブ上の第１位置に位置する単独の不規則スパイク入力８１に関して、液体塗膜の厚さとウェブ長さ方向（流れ方向）の距離との関係を示すグラフである。図９〜図１３は、スパイク入力８１が１つ以上のピックアンドプレース接触装置と遭遇する場合の数学的モデルの結果であり、ウェブ沿いの液体塗膜の厚さを示している。
【００６１】
図９は、スパイク入力８１が単独の周期的ピックアンドプレース接触装置に遭遇する場合に、ウェブ上の第１位置に縮小されて残るスパイク９１と、ウェブ上の後続の第２位置に再伝播されて配置されるスパイク９２、９３、９４、９５、９６、９７、９８を示している。当初入力されたスパイク８１のピークの長さを１長さ単位、高さを２厚み単位とする。接触装置の周期は１０長さ単位に相当する。入力欠陥の像が１０長さ単位の増分で６０長さ単位超の長さに亘って周期的に反復される。このため、欠陥をもって被覆されたウェブ、すなわち「不良」ウェブの長さは入力欠陥の長さに比べて大きく増加する。勿論、欠陥ウェブの正確な長さは、所望の最終用途に対して許容できる塗膜厚さのばらつきによって決まるものである。
【００６２】
図１０は、スパイク入力８１が、それぞれ１０長さ単位の周期を有し、２つの周期的同期ピックアンドプレース転写装置に遭遇する場合に、縮小してウェブ上の第１位置に残るスパイク１０４と、再伝播されてウェブ上の後続の第２位置に配置されるスパイク１０２、１０３、１０４、１０５、１０６、１０７、１０８、１０９のいくつかの振幅を示している。単独のピックアンドプレース装置を使用した場合に比べて、振幅の小さいスパイク像がウェブ上の長い距離に亘って発生している。
【００６３】
図１１は、連続して配設された周期１０と周期５の２つの周期的同期ピックアンドプレース接触装置を用いた場合に得られる塗膜を示したものである。これらの装置は周期的に関連した接触周期を有している。そのピックアンドプレース作用により、塗膜がウェブ上の周期的に関連した位置に堆積される。図１０と比較すると、スパイク像の振幅は余り小さくなっていないが、塗膜に欠陥のあるウェブの長さはやや短くなっている。
【００６４】
図１２は、１０、５、２とそれぞれ異なる周期を有する３つの周期的ピックアンドプレース装置を使用した場合に得られる塗膜を示したものである。周期１０の装置と周期５の装置は周期的に関連している。周期１０の装置と周期２の装置も周期的に関連している。しかし、周期５の装置と周期２の装置は周期的に関連しておらず（５は２の整数倍でないため）、従ってこの一連の装置は、ウェブ上の第１位置において塗膜と接触した後、第１位置からの距離に関して相互に周期的に関連しない第２位置と第３位置において塗膜と再接触することのできる第１および第２の周期的ピックアンドプレース装置を含んでいる。図９〜図１１に示した作用を有する装置に比較して、厚み偏差ははるかに小さく、塗膜に欠陥のあるウェブの長さもはるかに短くなっている。
【００６５】
図１３は、周期１０の第１装置と、周期５の第２装置と、周期２の第３〜第８装置から成る８つの接触装置を用いた場合の結果を示している。図９〜図１１に示した作用を有する装置に比較して、スパイク像の振幅が大幅に小さくなっており、塗膜の厚さの均等性に大きな改善が見られる。
【００６６】
不規則な欠陥がスパイクではなく陥没部（例えば被覆されていない空隙など）の場合にも、同様の塗膜の改善が達成される。
【００６７】
上述の不規則なスパイクおよび陥没部は、改善ステーションに呈示される一般的な種類の欠陥の一つである。次に重要な種類の欠陥が周期的に反復する欠陥である。言うまでもなく、塗膜製造装置においては、これら両方の種類の欠陥が同時に発生することも多い。連続的に走行するウェブにスパイクまたは陥没部が高さまたは深さの高低に関わらず周期的に連なって生じる場合、被覆装置のオペレータは欠陥の原因を探ってそれを取り除こうとするのが普通である。図７に示したような単独の周期的ピックアンドプレース装置では効果がないばかりか、塗膜の品質をますます悪化しかねない。しかし、図７に例示したものと機能的に同じ２つ以上の装置を用いて、装置の周期を適正に選び、これらの装置により塗膜に断続的周期的に接触すれようにすれば、塗膜の均等性を改善することができる。改善は不規則的ばらつきと連続的・周期的ばらつきの双方、またそれらの組合せにも見られる。一般に、個々の装置による接触の相対的タイミングを、望ましくない相加効果を回避できるように調節する努力をした場合により良い結果が得られると言える。塗膜と連続的に接触して走行するローラを使用することでこの問題を回避すると共に、やや簡単で好ましい解決策が得られる。ウェブ上を走行するローラ面が少しずつウェブに接触して行くため、ローラ面を断続的周期的に接触する表面を連結した連なりとみなすことができる。同様に、回転式無端ベルトもローラと同じ機能を果たすことができる。必要に応じて、メビウスの帯の形式のベルトを使っても良い。塗布技術に精通した者なら分かるであろうが、楕円形のローラやブラシなど他の装置を用いても、改善ステーションにおいて周期的ピックアンドプレース装置として作用させることができる。装置が精密な周期性を有する必要はなく、単に繰り返し接触するだけで良い。
【００６８】
図１４は、振幅の等しい反復性スパイク入力が連続して周期的に接触するピックアンドプレース転写装置に接近する場合の、液体塗膜の厚さとウェブに沿った距離の関係を示すグラフである。ピックアンドプレース装置がこの反復性欠陥に周期的かつ同期的に接触すると共に、その周期が欠陥周期と等しい場合、装置の始動時から何らの変化も生まれない。装置の周期が欠陥周期の整数倍である場合にもこのことが言える。この接触工程のシミュレーションが示すように、周期が入力される欠陥周期より短い場合は単独の装置ではより多くの欠陥スパイクが生み出される。図１５は、周期１０の反復性欠陥が周期７の周期的ピックアンドプレースローラ装置に遭遇する場合の結果を示したものである。
【００６９】
複数の装置を使用し、それらの装置の接触周期を適正に選択することにより、肉眼で見ても不均等な塗膜の品質でさえ実質的に改善することができる。図１６と図１７は、図１４の欠陥パターンを有する塗膜を、それぞれの周期が相互に関連しているとは限らない７つまたは８つの周期的ピックアンドプレースローラ装置に連続してかけた場合のシミュレーションの結果を示している。図１６では、装置の周期を７、５、４、８、３、３、３としている。図１７では、装置の周期を７、５、４、８、３、３、３、２とした。どちらの場合も、最も高いスパイクの振幅が７５％超縮小した。このようにスパイクの数が増えても、塗膜厚さの均等性において有意の改善が見られた。
【００７０】
乾燥、硬化、ゲル化、結晶化、相の変化など経時的に生じる要因が、使用されるローラの数を制限する場合がある。塗布液が揮発性の成分を含む場合、多くのローラを通って移動するのに必要な時間によって、液体が固化する程度まで乾燥が進行する場合がある。後で詳述するように、改善ステーションによって乾燥が実際に促進される。いずれにしても、何らかの理由により、改善ステーションの動作中にローラ上で塗膜相の変化が生じると、通常はウェブ上の塗膜に途絶やパターンが生じる結果となる。従って、一般にはできるだけ少ない数のローラを用いて、所望の程度の均等性をもつ塗膜を製造するのが好ましいと考えられる。
【００７１】
図１８は、大きさは等しいが速度の異なる一連のピックアンドプレースローラ接触装置を用いた改善ステーション１８０を示す。液体を塗布されたウェブ１８１は、改善ステーション１８０に入るまでにその一面が被覆（図１８に不図示の静電吹付ヘッドにより）されている。ウェブ１８１上の液体塗膜の厚さは、ピックアンドプレース接触装置のローラ１８２に接近する際のどの瞬間にもウェブの下流方向で空間的に変化する。位置を固定した観察者から見れば、塗膜の厚さは時間的に変動しているようにも見える。このような変動は、ウェブの下流方向において一過性の成分、不規則的成分、周期的成分、そして一過性の周期的成分を含んでいる。ウェブ１８１は、アイドラーローラ１８３、１８５によってステーション１８０を通る経路に沿って導かれ、ピックアンドプレース接触装置の各ローラ１８２、１８４、１８６、１８７と接触する。経路はウェブの湿潤被覆側がピックアンドプレースローラと物理的に接触するように選択される。ピックアンドプレースローラ１８２、１８４、１８６、１８７（図１８では同径に示されている）は、ウェブ１８１と共に、しかし相互に異なる速度で回転するように駆動される。各ローラの速度はウェブ１８１上の塗膜の均等性を改善するように調節される。ピックアンドプレースローラ１８２、１８４、１８６、１８７のうち少なくとも２つ、好ましくは２つ以上のローラの速度を異なるものとし、しかも相互に整数倍とならないようにする。
【００７２】
ここでピックアンドプレースローラ１８２について見ると、液体塗膜は分離地点１８９において分割される。塗膜の一部はウェブと共に前進を続けるが、残りはローラ１８２と共に、その回転に伴って分離地点１８９から離れて行く。分離地点１８９直前の塗膜の厚さのばらつきは、ウェブ１８１とローラ１８２が分離地点１８９を離れる際に、ウェブ１８１上の液体の厚さとローラ１８２の表面上の液体の厚さの双方にそのまま反映される。ウェブ１８１上の塗膜がまずローラ１８２と接触してローラ１８２が１回転すると、ローラ１８２上の液体とウェブ１８１に乗って来る液体とが入口地点１８８において出会い、それによって入口地点１８８と分離地点１８９との間のニップ領域１９６を満たす液体が形成される。領域１９６に空気が連行されることはない。位置を固定した観察者から見ると、領域１９６に入る液体の流速は、ウェブ１８１に乗って入って来る液体とローラ１８２に乗って入って来る液体の速度を合計したものとなる。ローラ１８２の正味の作用は、ウェブ１８１上の一地点においてウェブから材料を取り、その材料の一部をウェブ上の別の位置に戻すことにある。
【００７３】
同様に、分離地点１９１、１９３、１９５においても液体塗膜が分離される。塗膜の一部が入口地点１９０、１９２、１９４においてウェブ１８１と再接触し、ウェブ１８１に再塗布される。
【００７４】
上述のような断続的ピックアンドプレース接触装置を並べたものによっても、ウェブ上の液体塗膜の厚さの不規則的または周期的なばらつきの程度が減少し、望ましくは図１８の周期的接触ローラのピックアンドプレース作用によりばらつきが実質的に解消されると思われる。また、上述の装置を用いた場合でも、ウェブ上の液体被膜と接触して走行する一つのローラまたは周期的に関連付けられた一連のローラは一般的に言って、欠陥を伝播して、費用のかかるスクラップを大量に生み出す傾向がある。
【００７５】
複数のピックアンドプレースローラを使用することによって、連続するスパイクまたは陥没部の振幅を実質的に減少することと、これらを結合することにより連続的にやや変動するがスパイクおよび陥没部のない均等性の高い塗膜を形成することを同時に実現することができる。図１８に示したように、このことは異なる速度で駆動される同径のローラ装置を用いて達成することができる。図１ａ，図３および図４に示したように、ローラ装置の径を変えることによっても達成することができる。ローラが独立して駆動されるのではなく、ウェブの牽引力によって回転される場合、各ローラの周期はその直径および湿潤ウェブの牽引力と関係する。大きさの異なるローラを選択するには、初期設定の段階で余分な時間を要するが、ローラは非駆動でウェブと共に回転できるため、改善ステーションにかかる全体的なコストは大幅に削減されることになる。
【００７６】
詳細な数学的シミュレーションはない場合、ピックアンドプレースローラの径の組合せ、従ってローラの周期の組合せを決定する上で推奨される実験手順を以下に示す。まず、ウェブへの塗布量を連続的に測定し、改善ステーションへ入る望ましくない周期的欠陥の進入周期Ｐを求める。次にその進入周期の整数の倍数および約数を避けながらそれより小さい周期からそれより大きい周期までの範囲の周期を有する一連のピックアンドプレースローラの径を選ぶ。この群の中から、その一つで均等性を最も改善できるローラを決定する。群の残りのローラの中から、最初に選択したローラと共に使用した場合に均等性を最も改善できる第２のローラを選択する。最初の２つのローラが決まったら、残りのピックアンドプレースローラの中から最も改善できるものを一つずつ選んで行く。最良のローラの組合せは、使用する均等性の基準および改善前にウェブ上に存在する当初のばらつきによって決まるものである。好ましいと考えられるローラの組合せは、進入欠陥の周期に０．０３を増分として０．２６〜１．９７の範囲の数を掛けた積に等しい周期Ｑを有するローラを含む組合せである。例外がＱ＝０．５、０．８、１．１、１．２５、１．４、１．７である。ｎを整数、ｋ＝１／ｎとする時、（Ｑ＋ｎＰ）および（Ｑ＋ｋＰ）の周期も推奨される。
【００７７】
図１９は改善ステーション２００に使用される厚さ監視・制御システムを示している。このシステムによると、改善ステーションの１つ以上のピックアンドプレース装置の周期で塗膜厚さのばらつきと調節を監視することができ、それによって塗膜の均等性の改善やその他所望の変更を行うことができる。このことは、進入してくる偏差の周期が変化する場合に特に有用である。図１９を参照すると、ピックアンドプレース転写ローラ２０１、２０２、２０３が電動駆動システム（図１９では不図示）に取り付けられており、電動駆動システムは制御器２５０からの信号に応じて各ローラの回転速度を個別に制御することができる。回転速度は必ずしも一致させる必要はなく、また基板２０５の速度にも一致させる必要はない。センサ２１０、２２０、２３０、２４０は、基板２０５またはその塗膜の１種以上の特性（例えば厚み）を検知することができ、ピックアンドプレースローラ２０１、２０２、２０３の何れか一つまたはそれ以上の前後いずれかに配置することができる。センサ２１０、２２０、２３０、２４０は信号線２１１、２１２、２１３、２１４を介して制御器２５０に接続される。制御器２５０はセンサ２１０，２２０、２３０、２４０の何れか一つまたはそれ以上からの信号を処理して、所望のロジックおよび制御関数を適用し、適切なアナログまたはデジタル調整信号を生成する。これらの調整信号は一つまたはそれ以上のピックアンドプレースローラ２０１、２０２、２０３用の電動部に送られ、一つまたはそれ以上のローラの速度調整を行う。一実施形態では、自動制御気２５０をマイクロプロセッサとし、ローラ２０１の出力側の塗膜厚さの標準偏差を計算し、制御機能を実施して改善された塗膜厚さの最小標準偏差を求めるようにプログラムすることができる。ローラ２０１、２０２、２０３の制御が個々に行われるか、共通して行われるかにより、残りのピックアンドプレースローラの後ろに配置されたセンサからの一変数または多変数閉ループ制御アルゴリズムを用いても、塗膜の均等性を制御することができる。センサ２１０、２２０、２３０、２４０は、光学比重計、β計、静電容量計、蛍光計、吸光度計など、多様な検知システムを用いることができる。必要であれば、センサの数をピックアンドプレースローラより少なくしても良い。例えば、センサ２４０のような単独のセンサを用いて塗膜の厚さを監視させ、順次あるいはその他の方法でピックアンドプレースローラ２０１、２０２、２０３に対して制御機能を実施させることができる。
【００７８】
上記のように、改善ステーションは、作動前あるいは作動中に回転速度を選択または変更できる駆動式のピックアンドプレースローラを使用することができる。ピックアンドプレースローラの周期は他の方法でも変更することができる。例えば、ローラの表面速度は一定としたままでローラの径を変えても良い（例えばローラを膨縮させる等の方法により拡大または収縮させる方法で）。ローラの径は一定とする必要はなく、必要であればその断面形状を中高、皿形、円錐形等とすることができる。このような形状とすることで、ローラの組合せの周期を変える助けとなる。また、ローラの位置やロール間の基板経路の長さを作動中に変えることもできる。ローラの一つまたはそれ以上をその回転軸が基板経路に対して直角とならないように（あるいは常に直角とならないように）配置しても良い。このように配置にすると、そのローラは取り上げた塗膜を基板の横方向にずれた位置で再塗布するため、性能を向上させることができる。静電吹付ヘッドへ供給される液体の流速を例えば周期的に変調し、その周期を変更するようにしても良い。このような変更は全て、上記のローラの大きさに関する法則に代わるものとして、あるいはそれに付加するものとして有用であり、全て改善ステーションの性能と最終的に得られる塗膜の厚さの均一性に影響を与えることができる。例えば、ピックアンドプレース装置の一つまたはそれ以上の相対速度または周期性、あるいは装置の一つまたはそれ以上と基板との間の装置速度または周期性を少し変化させることが、性能の向上に有効であるという知見を得た。このことは、使用するローラの大きさまたは周期の数が少ない場合に特に有用である。使用する変更は無作為でも管理されたものでも良い。個別のモータを用いてローラをそれぞれ独立して駆動し、モータの速度を変えることにより変更を達成するのが好ましい。当業者であれば理解されるように、回転速度の変更は他の方法、例えば変速装置、プーリまたはスプロケットの径を変更するベルトとプーリのシステムまたはギヤチェーンとスプロケットのシステム、リミテッドスリップ・クラッチ、ブレーキ、または直接駆動されるのではなく他のローラとの接触により摩擦駆動されるローラなどを使用する方法によっても達成することができる。変更は周期的としても非周期的としても良い。非周期的変更には、断続的な変更と、時間的な線形ランプ関数、ランダムウォーク等の非周期的関数に基づく変更が含まれる。このような変更の全てが、一定数のローラを含む改善ステーションの性能を向上することができると考えられる。速度の変更により振幅が平均で０．５パーセントまで低くなる改善された結果が得られる。
【００７９】
定常的速度差も有用である。この方法では、性能の低下を回避する回転速度を選択することが可能になる。回転速度を一定とすると、ローラの大きさを選択することで性能の低下を回避するのが好ましい。
【００８０】
液滴のパターンを変更できる静電吹付ヘッドと改善ステーションとを組合わせて使用することにより、相補的な利点を得ることができる。静電吹付ヘッドは基板または転写面、転写面から基板へと液滴のパターンを塗布する。吹付ヘッドへの流速を一定に保ち、基板の移動速度を一定として、大部分の液滴が基板に堆積するか基板へと転写される場合、液体の平均的な付着性はほぼ均等となる。ところが液体は通常の場合、間隔が不十分な液滴の状態で付着するため、塗膜の厚みに局部的ばらつきが生まれる。静電界の変更が液滴のパターンをウェブ横断方向に変化させ、塗膜の厚みの大きい地点と小さい地点をウェブ横方向に前後して移動させる場合がある。改善ステーションはこのようなウェブ横方向の厚みのばらつきを取り除くことができる。改善ステーションはまた、液滴を連続的塗膜に変更すること、塗膜を均等性を向上させること、あるいは液滴を延展するのに要する時間および機械長を短縮することができる。初期液滴をローラ等の選択されたピックアンドプレース装置と接触させ、液体の一部を除去した後、これを基板上の別の場所に戻すという動作によって、基板の表面被覆率が増し、被覆地点間の距離が短くなり、場合によっては液滴の密度が高くなる。改善ステーションはまた、液滴と基板に対する押圧力を生むことにより、液滴の延展速度を速める働きもする。吹付ヘッドからの液滴のパターンを変えることにより（特に流れ方向以外の方向においてパターンを変えることにより）、改善ステーションの有効性を増すことができる。このように、静電吹付ヘッドと選択されたピックアンドプレース装置を組合わせて使用することにより、最終的に得られる塗膜の均等性が向上する。
【００８１】
換言すると、上述の静電界の変更および液滴パターンの変更は、その位置が流れ方向以外の方向において前後に移動する厚みのばらつきを有する意図的に変更可能な塗膜を改善ステーションにかけることによって、塗膜の均等性を改善する。
【００８２】
液滴の平均径が所望の塗膜の厚さより小さく、しかも吹付被覆速度が連続的な塗膜を生成できるだけの速さであっても、吹付の統計的性質により塗膜の厚さに不均等性が生まれる。この場合も、ローラその他の選択されたピックアンドプレース装置を用いることで塗膜の均等性を向上させることができる。
【００８３】
静電吹付ヘッドとピックアンドプレース装置という効果的な組合せに関しては、個々の用途ごとに実験的に試験を行うか、シミュレートすることができる。本発明を使用することにより、固体１００％の塗料組成物を空隙の無い、あるいは実質的に空隙の無い、平均厚さが非常に小さい硬化塗膜に変更することができた。例えば、厚さが１０μｍ未満、１μｍ未満、０．５μｍ未満、さらには０．１μｍ未満の塗膜でも容易に得ることができる。厚さ１０μｍ超（例えば１００μｍ超）の塗膜も得ることができる。このように厚さの大きい塗膜の場合、ピックアンドプレース装置の一つまたはそれ以上（あるいは全部）の表面に溝、刻み目、食刻等の表面模様を付け、厚くなった湿潤塗膜を収容できるようにすると良い。
【００８４】
改善ステーションは、乾燥基板を製造するのに要する時間を大幅に短縮し、塗膜の厚み変動を大幅に緩和することができる。改善ステーションが塗膜の厚み変動を小さくできる理由は、既に上で述べた通りである。改善ステーションに進入する塗膜が既に均等であっても、改善ステーションは乾燥速度を大幅に速くする。理論に縛られるわけではないが、湿潤塗膜をピックアンドプレース装置と繰り返し接触させることで、露出される液体表面が増え、それによって熱・質量伝達速度が速くなると考えられる。基板上の液体を繰り返し分離し、除去し、再付着させることもまた、温度および濃度勾配を大きくし、熱・質量の伝達速度を高めることにより、乾燥速度を速めることができると考えられる。さらに、ピックアンドプレース装置が湿潤基板に近接しかつ湿潤基板に対して移動することによって、湿潤塗膜の液体面付近にある律速境界層の破壊を助けると考えられる。これらの要素の全てが乾燥を助けると思われる。移動ウェブを伴う工程においては、これによって被覆ステーションから下流の乾燥ステーション（例えば乾燥炉または送風機）を小型化または短縮することができる。必要により、改善ステーションを乾燥ステーションまで延設しても良い。
【００８５】
本発明の装置と方法を用いて多様な可撓性または剛性の基板に塗膜を塗布することができる。これらの基板には紙、プラスチック（例えばポリエチレンやポリプロピレン等のポリオレフィン類、ポリエステル類、フェノール類、ポリカーボネート類、ポリイミド類、ポリアミド類、ポリアセタール類、ポリビニルアルコール類、フェニレンオキシド類、ポリアリルスルフォン類、ポリスチレン類、シリコーン類、尿素類、ジアリルフタレート類、アクリル類、セルロース・アセテート類、ポリ塩化ビニル等の塩化ポリマー類、フルオロカーボン類、エポキシ類、メラミン類など）、ゴム、ガラス、セラミックス、金属、生物起源の材料、およびこれらの組合せまたは複合物などが含まれる。必要に応じて、塗膜の塗布前に基板の前処理を行うことにより（例えば下塗剤、コロナ処理、火炎処理等の表面処理により）、基板表面の塗膜受容性を高めることもできる。基板は実質的に連続的なもの（例えばウェブ）としても良いし、有限長のもの（例えばシート）としても良い。基板は多様な表面トポグラフィー（例えば平滑、表面模様付き、型押し、微細組織、多孔質など）と多様な内部特質（例えば全体的に均質、不均一、波形、編組状、非編組状など）を持つものとすることができる。例えば、微細組織の基板に塗布する場合（そして目標とする微細組織を基板の上面として基板上方から塗膜を塗布する仮定する）、微細組織の最上部に塗膜を容易に塗布することができる。塗布液の表面張力と、ニップ圧の印加（ニップ圧がある場合）と、微細組織の表面エネルギーおよび表面形状とによって微細組織の最下部（例えば谷部）に塗布が行われるかどうかが決まる。必要に応じて基板の予備帯電を行えば、微細組織の谷部の中に塗膜を付着させるのを助けることができる。図１ａ〜図３に示したようなドラム転写法あるいは図４ａ〜図４ｂに示したような転写ベルト法を用いて繊維質ウェブに塗布する場合、塗膜の浸入深さは主としてウィッキングフロー（ｗｉｃｋｉｎｇ  ｆｌｏｗ）によって決まる。
【００８６】
基板の用途は、テープ、膜（燃料電池膜など）、絶縁、光学フィルムまたは成分、写真フィルム、電子フィルム、回路、または成分、それらの前駆体など多岐に亘る。基板は塗布層の下に一層のみとしても良いし、多層としても良い。
【００８７】
以下に実施例をあげて本発明についてさらに説明するが、特に断らない限り、ここで使用する部およびパーセントは全て重量部および重量パーセントである。
【実施例１】
【００８８】
厚さ３５μｍ、幅３０．５ｃｍのポリエチレン・テレフタレート（ＰＥＴ）のウェブをアイドラーローラの上、直径５０．８ｃｍ，幅６１ｃｍの接地したステンレス鋼ドラムの下、別のアイドラーローラの上に通した。このウェブをドラム周囲の約半分に接触させた。ドラムを移動ウェブの表面速度の同じ速度、すなわち７．６２ｍ／分の速度Ｓで回転させた。従って、ドラムの回転角振動数ωD＝Ｓ／ＲDは０．５-1秒、回転周期τD＝２π／ωDは１２．５７秒であった。
【００８９】
ＨＰ６２１６Ａ  ０−３０ＶＤＣ電源（ヒューレット・パッカード社（Ｈｅｗｌｅｔｔ−Ｐａｃｋａｒｄ，  Ｉｎｃ．））とＰＭ５１３４関数発生器（フィリップス・エレクトロニクス社（Ｐｈｉｌｌｉｐｓ  Ｅｌｅｃｔｒｏｎｉｃｓ  ＮＶ））をＰＳ／ＷＧ−５０Ｎ６−ＤＭ  ５０ｋＶＤＣ  ６ミリアンペア負出力高圧電源（グラスマン・ハイヴォルテージ社（Ｇｌａｓｓｍａｎ  Ｈｉｇｈ  Ｖｏｌｔａｇｅ  Ｉｎｃ．））の入力に直列に接続した。ＨＰ６２１６Ａ電源を約６．５ＶＤＣに調節し、ＰＭ５１３４関数発生器はＨＰ５３１５Ｂ万能カウンタ（ヒューレット・パッカード社（Ｈｅｗｌｅｔｔ−Ｐａｃｋａｒｄ，  Ｉｎｃ．））で測定した周期が２７．４秒の交流正弦波を出すように調節した。フリューク８０００Ａディジタルマルチメータ（フリューク社（Ｆｌｕｋｅ  Ｃｏｒｐ．））を用いて測定したグラスマン高圧電源への入力電圧が４．５１ボルトから８．６２ボルトまで変化するまで、正弦波の振幅を大きくした。この振動性入力により、出力電圧には−２２．６ｋＶから−４２．６ｋＶへの変化が認められた。グラスマン電源の出力を、直列接続された２００ＭΩ安全抵抗器２つを介して、米国特許第５，３２６，５９８号に記載されているようなエレクトロスプレーモードで動作し得る静電吹付ヘッドのダイワイヤに送った。合計４００ＭΩの安全抵抗により、ダイワイヤーに誤って触れても、電源から１２５マイクロアンペア以下が連続的に引き出されることはないようにした。吹付ヘッドの電界調整用電極（「抽出棒」とも呼ばれる）は接地した。ダイワイヤをドラム表面から１０．８ｃｍの一定距離に保持した。吹付ヘッドのスロットは幅３３ｃｍとした。しかし、霧化した液滴の噴霧の中の電荷反発により、吹付ヘッドはドラムに幅３８ｃｍの噴霧を吹き付けることができた。
【００９０】
幅１４ｃｍ、長さ２５．４ｃｍの接地したサイドパンを吹付ヘッド両端の下方、ドラムの直ぐ上の位置に配設した。サイドパンは塗布領域を隠蔽すると共に、余分な塗料を流し出した。サイドパンは滑り棒の上を側方に調節して、塗布幅を１０ｃｍから３０ｃｍまでとすることができた。サイドパンの間を落下する噴霧のみがドラムに到達するようにした。サイドパン間の間隔を３０．４ｃｍとして、ウェブの全幅の塗布が行えるようにした。
【００９１】
全体的外径が１０．２ｃｍのニップローラをドラムに当接して配置し、２つの空気シリンダにより０．２７６Ｍｐａのニップ圧で定位置に保持した。ニップローラは、８０デュロメータ硬度の厚さ０．７９４ｃｍの高分子被覆層を備えるものとした。
【００９２】
米国特許第５，８５８，５４５号の実施例１０に記載されているような無溶剤型シリコーンアクリレートから成る紫外線硬化性剥離塗料組成物を調製し、１００部あたり０．３部（ｐｐｈ）の２，２’−（２，５−チオフェンジイル）ビス「５−ター−ブチルベンゾオキサゾール」（チバ・スペシャリティ・ケミカルズ社（Ｃｉｂａ  Ｓｐｅｃｉａｌｔｙ  Ｃｈｅｍｉｃａｌｓ  Ｃｏｒｐ．）製ＵＶＩＴＥＸ（商標）−ＯＢ蛍光色素）を添加して改質した。
【００９３】
この剥離組成物を、回転式金属ドラム上に厚さ１．２μｍの塗膜を形成できる流速でドラム上部に静電吹き付けした。ドラムを数回回転させると、ドラム表面は剥離塗料で湿潤し、平衡状態に達した。ドラムが静電吹付ヘッドを通過して回転するに伴い、静電噴霧の霧滴が接地されているドラムに引き付けられ、ドラム上で霧滴の電荷が消失した。
【００９４】
１列の液体噴霧が吐出ワイヤからドラムに向けて発射され、ドラム上に霧化された液滴から成る変動パターンが形成された。グラスマン電源電圧を最大の−４２．６ｋＶとした時、ワイヤ沿いに１ｃｍあたり約２つから３つの噴霧が形成された。静電界が弱まるにつれて、噴霧の数が減少し、噴霧と噴霧の間隔は大きくなった。静電界を周期的に変化させることにより、噴霧をドラムの幅方向に前後に移動させ、ドラムの全域に塗膜厚ところと薄いところから成る転移領域を形成した。塗膜の厚い領域と薄い領域は、湿潤塗膜にモデル８０１（Ｍｏｄｅｌ  ８０１）「暗光」蛍光灯（ヴィジュアル・イフェクツ・インコーポレイテッド（Ｖｉｓｕａｌ  Ｅｆｆｅｃｔｓ，  Ｉｎｃ．））を照射することによって、観察し易くなった。
【００９５】
ダイワイヤはダイより長くすると共に、ダイワイヤの湿潤していない部分がコロナ放電を始めるため、非線形電流はグラスマン電源電圧が発振するのに伴って安全抵抗器を通過した。塗布液の無いときに、安全抵抗器のある状態と無い状態でグラスマン電源において行った電流・電圧測定値から、ダイワイヤの電圧は一周期に−２２ｋＶから−２５ｋＶの間で変化すると推測された。コロナ放電に関する電流電圧の関係は線形でないため、ワイヤ上の電圧の変動は正弦的でなかった。それにも拘らず、ワイヤ上の噴霧間の距離は、周期的に徐々に大きくなった後小さくなることが観察された。変動に非正弦的な性質があることも観察された。当業者であればお気づきと思われるが、安全抵抗器を除去することによって、ダイワイヤに正弦的な電圧変動を生じさせることができた。
【００９６】
ドラムが１回転するのに要する時間は、グラスマン電源の１回の発振にかかる時間より短くした。τD（１２．５７秒）はτ（２７．４秒）より小さいため、塗布パターンの反復はＩSを小さい方の整数、ＩLを大きい方の整数とする時ＩLτD＝ＩSτの要件から決定することができる。τDはドラムが１回転する時間であるため、ＩLは吹付パターンがドラム上に反復されるまでに必要なドラム回転数である。反復塗布パターンの基準としてτ＝２７．４秒、ＲD＝０．２５４ｍ、Ｓ＝７．６２ｍ／分、Ｎ＝τ／τD＝ＩL／ＩS＝［τ／（２πＲD）］Ｓ＝２．１８、ＮＩS＝ＩLとした場合、展開表計算を行うと整数の結果を与える最初の積が２．１８（５０）＝１０９であることが分かる。従って、ドラム上のある地点に同じ塗布パターンが現れるまでに、ドラムは１０９回回転を行うということになる。同様に、液滴パターンの振動についても、ドラム上の反復地点に同一の液滴パターンが着地するまでに５０回の振動を繰り返すことになる。いろいろなウェブ速度または吹付パターンの振動に関して展開表計算を行い、０．００２の増分でτ／τD＝２．１７からτ／τD＝２．２となった結果を示したのが図２０である。パターン周期をごく僅か大きくした場合（例えば２７．４秒から２７．６５秒へ）、あるいはウェブ速度をごく僅か速くした場合（例えば７．６２ｍ／分から７．６９ｍ／分へ）、τ／τD＝２．２となり、展開表計算の結果は２．２（５）＝１１となる。このように僅かに大きくしたときの噴霧は、ドラム１１回転ごと、吹き付け５周期ごとに反復パターンを有することになる。
【００９７】
ドラムが移動ウェブを通過して回転するに従って、塗布した液滴がウェブ面と接触した。ニップローラが液滴を延展させ融合して空隙の無い塗膜を形成した。ニップローラの表面の一箇所に深い打痕を設けることにより、塗膜に観察可能な欠陥を生じさせた。
【００９８】
ウェブが回転ドラムを離脱する際に、一部の塗布液がドラム上に残存し、残りの塗布液はウェブ上に残存した。暗光を用いて分離地点直後のウェブを観察したところ、塗膜の薄い転移領域がウェブに転写されたことが分かった。
【００９９】
被覆されたウェブは８つのローラから成る改善ステーションを巡らせ、ウェブの湿潤側を８つのピックアンドプレースローラと接触させた。ニップから改善ステーションまでの経路長は０．８６ｍ、改善ステーションを通る経路長は１．１４ｍであった。８つのローラの径はそれぞれ５４．８６ｍｍ、６９．５２ｍｍ、３９．６５ｍｍ、５６．９０ｍｍ、４１．６６ｍｍ、７２．８５ｍｍ、６６．０４ｍｍ、５２．５３ｍｍとし、全てについて許容差を±０．０２５ｍｍとした。ローラはウェベックス社（Ｗｅｂｅｘ  Ｉｎｃ．）から、１６Ｒａに仕上げたクロムめっき面を有する動的に同調した鋼製ライブシャフトローラとして入手した。改善ステーションは、ニップローラに付けた圧痕によって生じた観察可能なパターンも含めて、ウェブの被覆されていない領域を完全に無くし、暗光照射を用いて評価したときに視覚的にはるかに均等性の向上した塗膜を形成した。
【実施例２】
【０１００】
実施例１の方法、ウェブおよび塗料組成物を使用し、サイドパンの可変分離幅を３０．４ｃｍ未満に調節した。ウェブ速度を７．６２ｍ／分に固定し、ニップ圧０．２８ＭＰａで厚さ１．２μｍの塗膜をウェブに塗布した。暗光照射を用いて評価すると、いずれのサイドパン分離距離においても均等な塗膜が獲得された。
【実施例３】
【０１０１】
実施例１の方法、ウェブおよび塗料組成物を使用し、ウェブに再度剥離剤を塗布した。ダイワイヤ上の汚れの細かい繊維片が原因となって、ダイの一端部付近の流速の方がやや高くなった。これによって塗膜の厚い領域が生まれ、塗布されたウェブ試料をＬＳ−５０Ｂ型蛍光分光計（パーキン・エルマー・インスツルメンツ社（Ｐｅｒｋｉｎ  Ｅｌｍｅｒ  Ｉｎｓｔｒｕｍｅｎｔｓ））のセンサの下を通過させたとき、ダイワイヤの問題の端部付近の蛍光強度が高くなっていることによって観察することができた。ウェブの残りの部分については、蛍光強度が均等であることから分かるように、非常に良好な塗膜の均等性を示した。
【０１０２】
被覆ウェブ試料の上側（被覆側）と裏側に幅２．５４ｃｍのＮｏ．８４５ブックテープ（Ｂｏｏｋ  Ｔａｐｅ）（３Ｍ社）を貼付し、被覆していないウェブからなる対照試料の上側と裏側にもこれを貼付して、剥離特性の評価を行った。両試料を室温または７０℃で３日ないし７日老化させた。テープを２．３ｍ／分の速度で除去するのに必要な１８０°の剥離力を測定することによって、塗布された塗膜の性質を評価した。剥離したテープ試料を清浄なガラスに再添付した後、このテープをガラスから除去するのに必要な１８０°の剥離力を測定することによって塗膜の転写を評価した。試料の内訳、剥離力の値は次の表Ｉに明記したとおりである。
【０１０３】
【表１】
2004529764.tif 000003
【０１０４】
表Ｉのデータが示すように、塗布された塗布膜は優れた剥離性を示し、ブックテープの接着剤への剥離塗膜の転写を生じることはなかった。塗膜を７０℃で加熱老化させた後でも、塗布された塗膜に対する接着剤の優れた剥離性と再付着性は維持された。例えば、テープをガラスから剥離する際、対照試料（７日、７０℃）の剥離力は±６％変動した。これに対し、テープをガラスから剥離する際の被覆試料（７日、７０℃）の剥離力は±８％変動した。このように剥離力の変動値が類似しているのは、被覆したＰＥＴ試料と被覆していないＰＥＴ試料の表面形態が非常に似ているためである。従ってこのデータは、非導電性ウェブの上に均等に薄い膜を塗布するのに本発明が有効であることを証明するものである。
【０１０５】
当業者には明らかなように、本発明は発明の範囲および精神から逸脱することなく様々な修正および変更を加えることができる。以上の記載は説明のみを目的としたものであり、本発明がこれに限定されることはない。
【図面の簡単な説明】
【０１０６】
【図１ａ】本発明装置の略側面図である。
【図１ｂ】図１ａの装置の静電吹付被覆ヘッドと導電性転写面を示す斜視図である。
【図１ｃ】図１ａの装置の静電吹付被覆ヘッドと導電性転写面を示す別の斜視図である。
【図２ａ】吹付被覆中に静電界を変化させるために使用することのできる回路である。
【図２ｂ】高電圧時の図２ａの静電吹付被覆ヘッドの入力端を示す略図である。
【図２ｃ】低電圧時の図２ａの静電吹付被覆ヘッドの入力端を示す略図である。
【図３】本発明による別の装置を部分的に断面で示す略側面図。
【図４ａ】導電性転写ベルトを備える本発明装置の略側面図である。
【図４ｂ】図４ａ装置の一部を拡大して示す側面図である。
【図５ａ】一連の静電吹付被覆ヘッドと導電ドラムを備える本発明装置の略側面図である。
【図５ｂ】図５ａの装置を隣接するレーンにおいてストライプ状に吹付被覆するように設定した状態を示す略端面図である。
【図５ｃ】一連の静電吹付被覆ヘッドと一つの導電ドラムを備えた本発明装置の略側面図である。
【図６】ウェブの欠陥を被覆する状態を示す略側面図。
【図７】ピックアンドプレース装置の略側面図。
【図８】ウェブ上に大きなスパイクが一つ生じる場合の塗膜厚さとウェブ距離の関係を示すグラフ。
【図９】１０の周期を有する１つの周期的ピックアンドプレース装置に図８のスパイクが遭遇する場合の塗膜厚さとウェブ距離の関係を示すグラフ。
【図１０】１０の周期を有する２つの周期的ピックアンドプレース装置に図８のスパイクが遭遇する場合の塗膜厚さとウェブ距離の関係を示すグラフ。
【図１１】それぞれ１０と５の周期を有する２つの周期的ピックアンドプレース装置に図８のスパイクが遭遇する場合の塗膜厚さとウェブ距離の関係を示すグラフ。
【図１２】それぞれ１０と５と２の周期を有する２つの周期的ピックアンドプレース装置に図８のスパイクが遭遇する場合の塗膜厚さとウェブ距離の関係を示すグラフ。
【図１３】１０の周期を有する１つの周期的ピックアンドプレース装置に続いて５の周期を有する１つのピックアンドプレース装置と２の周期を有する６つの装置に図８のスパイクが遭遇する場合の塗膜厚さとウェブ距離の関係を示すグラフ。
【図１４】１０の周期を有する反復スパイク欠陥に関して塗膜厚さとウェブ距離の関係を示すグラフ。
【図１５】７の周期を有する周期的ピックアンドプレース装置に図１４のスパイクが遭遇する場合の塗膜厚さとウェブ距離の関係を示すグラフ。
【図１６】それぞれ７、５、４、８、３、３、３の周期を有する７つの周期的ピックアンドプレース装置を連ねたものに図１４のスパイクが遭遇する場合の塗膜厚さとウェブ距離の関係を示すグラフ。
【図１７】それぞれ７、５、４、８、３、３、３、２の周期を有する８つの周期的ピックアンドプレース装置を連ねたものに図１４のスパイクが遭遇する場合の塗膜厚さとウェブ距離の関係を示すグラフ。
【図１８】同径であるが不均等に駆動されるコンタクトローラを連続して備える改良ステーションを用いた本発明装置の略側面図。
【図１９】本発明において使用する制御システムの略側面図。
【図２０】各種の静電界条件下において液滴の繰り返しパターンを形成するために必要なドラムの回転数を示すグラフ。
【図８】
2004529764.tif 000004
【図９】
2004529764.tif 000005
【図１０】
2004529764.tif 000006
【図１１】
2004529764.tif 000007
【図１２】
2004529764.tif 000008
【図１３】
2004529764.tif 000009
【図１４】
2004529764.tif 000010
【図１５】
2004529764.tif 000011
【図１６】
2004529764.tif 000012
【図１７】
2004529764.tif 000013
【図２０】
2004529764.tif 000014
【国際公開パンフレット】
2004529764.tif 000015
2004529764.tif 000016
2004529764.tif 000017
2004529764.tif 000018
2004529764.tif 000019
2004529764.tif 000020
2004529764.tif 000021
2004529764.tif 000022
2004529764.tif 000023
2004529764.tif 000024
2004529764.tif 000025
2004529764.tif 000026
2004529764.tif 000027
2004529764.tif 000028
2004529764.tif 000029
2004529764.tif 000030
2004529764.tif 000031
2004529764.tif 000032
2004529764.tif 000033
2004529764.tif 000034
2004529764.tif 000035
2004529764.tif 000036
2004529764.tif 000037
2004529764.tif 000038
2004529764.tif 000039
2004529764.tif 000040
2004529764.tif 000041
2004529764.tif 000042
2004529764.tif 000043
2004529764.tif 000044
2004529764.tif 000045
2004529764.tif 000046
2004529764.tif 000047
2004529764.tif 000048
2004529764.tif 000049
2004529764.tif 000050
2004529764.tif 000051
2004529764.tif 000052
2004529764.tif 000053
2004529764.tif 000054
2004529764.tif 000055
2004529764.tif 000056
2004529764.tif 000057
2004529764.tif 000058
2004529764.tif 000059
2004529764.tif 000060
2004529764.tif 000061
2004529764.tif 000062
2004529764.tif 000063
2004529764.tif 000064
2004529764.tif 000065
2004529764.tif 000066
2004529764.tif 000067
2004529764.tif 000068
2004529764.tif 000069
2004529764.tif 000070
2004529764.tif 000071
2004529764.tif 000072
2004529764.tif 000073
2004529764.tif 000074
2004529764.tif 000075
2004529764.tif 000076
【国際公開パンフレット（コレクトバージョン）】
2004529764.tif 000077
2004529764.tif 000078
【国際調査報告】
2004529764.tif 000079
2004529764.tif 000080
2004529764.tif 000081